(57)【特許請求の範囲】
【請求項１】
第１機器に応用される機器ビーム相反性の特定方法において、
ビーム相反性に基づいて得られる送信ビームで参照信号を送信するように第２機器に指示することと、
前記第２機器から送信された参照信号を受信し、前記参照信号の受信品質を算出することと、
前記第２機器から送信された複数のビーム訓練信号を受信し、前記複数のビーム訓練信号の受信品質をそれぞれ算出することと、
前記参照信号の受信品質と、前記複数のビーム訓練信号の受信品質から取得した参照受信品質を比較し、比較結果に基づいて、前記第２機器のビーム相反性が成立するか否かを特定することとを含む機器ビーム相反性の特定方法。
【請求項２】
前記ビーム相反性に基づいて得られる送信ビームで参照信号を送信するように第２機器に指示することは、
前記第２機器の現在の最適な受信ビームまたは使用している受信ビームで送信ビームを特定し、特定した送信ビームで前記参照信号を送信するように前記第２機器に指示するための第１シグナリングを、前記第２機器に送信すること、または、
目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記第２機器に指示するための第２シグナリングを、前記第２機器に送信することを含む請求項１に記載の方法。
【請求項３】
前記第２機器から送信された参照信号を受信することは、
前記第１機器にビーム相反性を有するのであれば、現在の送信ビームまたは前記第２機器に指示した目標送信ビームに対応する受信ビームで前記参照信号を受信すること、または、
現在の時刻で、受信ビーム候補でそれぞれ参照信号を受信し、信号品質が最適な受信ビーム候補を特定し、前記信号品質が最適な受信ビーム候補で、後に送信される参照信号を受信すること、または、
前記ビーム訓練信号を受信する信号品質が最適な受信ビームである最適なビーム訓練信号受信ビームで、前記参照信号を受信することを含む請求項１に記載の方法。
【請求項４】
前記第２機器から送信された複数のビーム訓練信号を受信することは、
前記第１機器にビーム相反性を有するのであれば、現在の送信ビームまたは前記第２機器に指示した目標送信ビームに対応する受信ビームで前記ビーム訓練信号を受信すること、または、
前記参照信号を受信する信号品質が最適な受信ビームで、前記ビーム訓練信号を受信すること、または、
現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信することを含む請求項１に記載の方法。
【請求項５】
前記参照信号の受信品質と、前記複数のビーム訓練信号の受信品質から取得した参照受信品質を比較し、比較結果に基づいて、前記第２機器のビーム相反性が成立するか否かを特定することは、
前記複数のビーム訓練信号の受信品質のうちの最大受信品質を特定し、前記最大受信品質を前記参照受信品質とすることと、
前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定することとを含み、
または、
前記参照信号の受信品質と、前記複数のビーム訓練信号の受信品質から取得した参照受信品質を比較し、比較結果に基づいて、前記第２機器のビーム相反性が成立するか否かを特定することは、
前記複数のビーム訓練信号の受信品質を大きい順にソートし、前からＫ（１より大きい整数）個のビーム訓練信号の受信品質を選択することと、
前記Ｋ個のビーム訓練信号の受信品質の平均値を算出し、前記平均値を前記参照受信品質とすることと、
前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定することとを含む請求項１に記載の方法。
【請求項６】
前記第２機器から送信された複数のビーム訓練信号を受信する前に、
前記複数のビーム訓練信号の送信を前記第２機器に指示することをさらに含み、
前記第２機器から送信された複数のビーム訓練信号を受信することは、具体的に、
前記第２機器から指示に基づいて送信された前記複数のビーム訓練信号を受信する請求項１〜５のいずれか一項に記載の方法。
【請求項７】
前記第２機器のビーム相反性が成立すると特定すれば、相反性ビームでデータを伝送するように前記第２機器に指示するための第１指示情報を前記第２機器に送信すること、または、
前記第２機器のビーム相反性が成立しないと特定すれば、第１指定送信ビームでデータを伝送するように前記第２機器に指示するための第２指示情報を前記第２機器に送信すること、または、
前記第２機器が前記第１機器から指示されたビームでデータを伝送すると特定し、前記第２機器のビーム相反性が成立すると特定すれば、相反性ビームでデータを伝送するように前記第２機器に指示するための第３指示情報を前記第２機器に送信すること、または、
前記第２機器が前記第１機器から指示されたビームでデータを伝送すると特定し、前記第２機器のビーム相反性が成立しないと特定すれば、第２指定送信ビームでデータを伝送するように前記第２機器に指示するための第４指示情報を前記第２機器に送信することをさらに含む請求項６に記載の方法。
【請求項８】
前記参照信号の受信品質と、前記複数のビーム訓練信号の受信品質から取得した参照受信品質を比較し、比較結果に基づいて、前記第２機器のビーム相反性が成立するか否かを特定することは、
前記第１機器が、前記参照信号の受信品質と、前記複数のビーム訓練信号の受信品質から取得した参照受信品質を比較し、比較結果に基づいて、前記第２機器のビーム相反性が成立するか否かを特定すること、または、
前記第２機器が、前記参照信号の受信品質と、前記複数のビーム訓練信号の受信品質から取得した参照受信品質を比較し、比較結果に基づいて、前記第２機器のビーム相反性が成立するか否かを特定すべく、前記第１機器が、前記参照信号の受信品質と、前記複数のビーム訓練信号の受信品質から取得した参照受信品質を前記第２機器に送信すること、または、
前記第１機器が、前記参照信号の受信品質と、前記複数のビーム訓練信号の受信品質から取得した参照受信品質を比較し、前記第２機器が比較結果に基づいて前記第２機器のビーム相反性が成立するか否かを特定すべく、比較結果を前記第２機器に送信することを含む請求項１に記載の方法。
【請求項９】
第２機器に応用される機器ビーム相反性の特定方法において、
第１機器の指示を受信することと、
前記第１機器が参照信号の受信品質を算出すべく、前記第１機器の指示に基づいて、ビーム相反性に基づいて得られる送信ビームで参照信号を送信することと、
複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信することとを含む機器ビーム相反性の特定方法。
【請求項１０】
前記第１機器の指示に基づいて、ビーム相反性に基づいて得られる送信ビームで参照信号を送信することは、
前記第１機器から第１シグナリングを受信し、前記第１シグナリングに基づいて、現在の最適な受信ビームまたは使用している受信ビームで送信ビームを特定し、特定した送信ビームで前記参照信号を送信すること、または、
目標送信ビームのＩＤ情報が含まれる第２シグナリングを前記第１機器から受信し、前記ＩＤ情報に基づいて、前記目標送信ビームを受信する最適な受信ビームで送信ビームを特定し、特定した送信ビームで前記参照信号を送信することを含む請求項９に記載の方法。
【請求項１１】
複数のビーム訓練信号を前記第１機器に送信する前に、
複数のビーム訓練信号を送信する指示を前記第１機器から受信することをさらに含み、
複数のビーム訓練信号を前記第１機器に送信することは、具体的に、
複数のビーム訓練信号を送信する指示に基づいて、複数のビーム訓練信号を前記第１機器に送信する請求項９に記載の方法。
【請求項１２】
前記第２機器のビーム相反性の成立が前記第１機器によって特定された場合に送信される第１指示情報を前記第１機器から受信し、前記第１指示情報に基づいて、相反性ビームでデータを伝送すること、または、
前記第２機器のビーム相反性の不成立が前記第１機器によって特定された場合に送信される第２指示情報を前記第１機器から受信し、前記第２指示情報に基づいて、第１指定送信ビームでデータを伝送すること、または、
前記第２機器のビーム相反性が成立し、且つ前記第２機器が前記第１機器から指示されたビームでデータを伝送することが前記第１機器によって特定された場合に送信される第３指示情報を前記第１機器から受信し、前記第３指示情報に基づいて、相反性ビームでデータを伝送すること、または、
前記第２機器のビーム相反性が成立しなく、且つ前記第２機器が前記第１機器から指示されたビームでデータを伝送することが前記第１機器によって特定された場合に送信される第４指示情報を前記第１機器から受信し、前記第４指示情報に基づいて、第２指定送信ビームでデータを伝送することを含む請求項９に記載の方法。
【請求項１３】
前記複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信することは、
前記第１機器が前記複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、前記第２機器が複数のビーム訓練信号を前記第１機器に送信すること、または、
前記第１機器が前記複数のビーム訓練信号の受信品質をそれぞれ算出し、前記参照信号の受信品質と、前記複数のビーム訓練信号の受信品質から取得した参照受信品質を前記第２機器に送信し、前記第２機器によって、前記参照信号の受信品質と、前記複数のビーム訓練信号の受信品質から取得した参照受信品質を比較し、比較結果に基づいて前記第２機器のビーム相反性が成立するか否かを特定すべく、前記第２機器が複数のビーム訓練信号を前記第１機器に送信すること、または、
前記第１機器が前記複数のビーム訓練信号の受信品質をそれぞれ算出し、前記参照信号の受信品質と、前記複数のビーム訓練信号の受信品質から取得した参照受信品質を比較し、比較結果を前記第２機器に送信し、前記第２機器によって比較結果に基づいて前記第２機器のビーム相反性が成立するか否かを特定すべく、前記第２機器が複数のビーム訓練信号を前記第１機器に送信することを含む請求項９に記載の方法。
【請求項１４】
ビーム相反性に基づいて得られる送信ビームで参照信号を送信するように第２機器に指示する指示モジュールと、
前記第２機器から送信された参照信号を受信し、前記参照信号の受信品質を算出する第１算出モジュールと、
前記第２機器から送信された複数のビーム訓練信号を受信し、前記複数のビーム訓練信号の受信品質をそれぞれ算出する第２算出モジュールと、
前記参照信号の受信品質と、前記複数のビーム訓練信号の受信品質から取得した参照受信品質を比較し、比較結果に基づいて、前記第２機器のビーム相反性が成立するか否かを特定する処理モジュールとを含む機器ビーム相反性の特定装置。
【請求項１５】
前記指示モジュールは、具体的に、
前記第２機器の現在の最適な受信ビームまたは使用している受信ビームで送信ビームを特定し、特定した送信ビームで前記参照信号を送信するように前記第２機器に指示するための第１シグナリングを、前記第２機器に送信し、または、
目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記第２機器に指示するための第２シグナリングを、前記第２機器に送信し、
および／または、
前記第１算出モジュールは、
ビーム相反性を有するのであれば、現在の送信ビームまたは前記第２機器に指示した目標送信ビームに対応する受信ビームで前記参照信号を受信し、または、現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信し、または、前記ビーム訓練信号を受信する信号品質が最適な受信ビームである最適なビーム訓練信号受信ビームで、前記参照信号を受信する第１受信サブモジュールと、
前記参照信号の受信品質を算出する第１算出サブモジュールとを含み、
および／または、
前記第２算出モジュールは、
ビーム相反性を有するのであれば、現在の送信ビームまたは前記第２機器に指示した目標送信ビームに対応する受信ビームで前記ビーム訓練信号を受信し、または、前記参照信号を受信する信号品質が最適な受信ビームで、前記ビーム訓練信号を受信し、または、現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信する第２受信サブモジュールと、
前記複数のビーム訓練信号の受信品質をそれぞれ算出する第２算出サブモジュールとを含み、
および／または、
前記処理モジュールは、
前記複数のビーム訓練信号の受信品質のうちの最大受信品質を特定し、前記最大受信品質を前記参照受信品質とする第１特定サブモジュールと、
前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する第２特定サブモジュールとを含み、
および／または、
前記処理モジュールは、
前記複数のビーム訓練信号の受信品質を大きい順にソートし、前からＫ（１より大きい整数）個のビーム訓練信号の受信品質を選択するソートサブモジュールと、
前記Ｋ個のビーム訓練信号の受信品質の平均値を算出し、前記平均値を前記参照受信品質とする算出サブモジュールと、
前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する第３特定サブモジュールとを含み、
および／または、
前記第２機器のビーム相反性が成立すると特定すれば、相反性ビームでデータを伝送するように前記第２機器に指示するための第１指示情報を前記第２機器に送信し、または、
前記第２機器のビーム相反性が成立しないと特定すれば、第１指定送信ビームでデータを伝送するように前記第２機器に指示するための第２指示情報を前記第２機器に送信し、または、
前記第２機器が指示されたビームでデータを伝送すると特定し、前記第２機器のビーム相反性が成立すると特定すれば、相反性ビームでデータを伝送するように前記第２機器に指示するための第３指示情報を前記第２機器に送信し、または、
前記第２機器が指示されたビームでデータを伝送すると特定し、前記第２機器のビーム相反性が成立しないと特定すれば、第２指定送信ビームでデータを伝送するように前記第２機器に指示するための第４指示情報を前記第２機器に送信する送信モジュールをさらに含む請求項１４に記載の装置。
【請求項１６】
第１機器の指示を受信する受信モジュールと、
前記第１機器が参照信号の受信品質を算出すべく、前記第１機器の指示に基づいて、ビーム相反性に基づいて得られる送信ビームで参照信号を送信する第１送信モジュールと、
複数のビーム訓練信号の受信品質をそれぞれ算出し、前記参照信号の受信品質と、前記複数のビーム訓練信号の受信品質から取得した参照受信品質を比較し、比較結果に基づいて第２機器のビーム相反性が成立するか否かを特定すべく、複数のビーム訓練信号を前記第１機器に送信する第２送信モジュールとを含む機器ビーム相反性の特定装置。
【請求項１７】
前記第１送信モジュールは、具体的に、
前記第１機器から第１シグナリングを受信し、前記第１シグナリングに基づいて、現在の最適な受信ビームまたは使用している受信ビームで送信ビームを特定し、特定した送信ビームで前記参照信号を送信し、または、
目標送信ビームのＩＤ情報が含まれる第２シグナリングを前記第１機器から受信し、前記ＩＤ情報に基づいて、前記目標送信ビームを受信する最適な受信ビームで送信ビームを特定し、特定した送信ビームで前記参照信号を送信し、
および／または、
前記受信モジュールは、さらに、
複数のビーム訓練信号を送信する指示を前記第１機器から受信し、
前記第２送信モジュールは、複数のビーム訓練信号を前記第１機器に送信する場合、具体的に、
前記複数のビーム訓練信号を送信する指示に基づいて、複数のビーム訓練信号を前記第１機器に送信し、
および／または、
前記受信モジュールは、さらに、
前記第１機器のビーム相反性テスト結果を受信し、
さらに、
前記第２機器のビーム相反性の成立が前記第１機器によって特定された場合に送信される第１指示情報を前記第１機器から受信し、前記第１指示情報に基づいて、相反性ビームでデータを伝送し、または、
前記第２機器のビーム相反性の不成立が前記第１機器によって特定された場合に送信される第２指示情報を前記第１機器から受信し、前記第２指示情報に基づいて、第１指定送信ビームでデータを伝送し、または、
前記第２機器のビーム相反性が成立し、且つ前記第２機器が前記第１機器から指示されたビームでデータを伝送することが前記第１機器によって特定された場合に送信される第３指示情報を前記第１機器から受信し、前記第３指示情報に基づいて、相反性ビームでデータを伝送し、または、
前記第２機器のビーム相反性が成立しなく、且つ前記第２機器が前記第１機器から指示されたビームでデータを伝送することが前記第１機器によって特定された場合に送信される第４指示情報を前記第１機器から受信し、前記第４指示情報に基づいて、第２指定送信ビームでデータを伝送する処理モジュールを含み、
および／または、
前記第２送信モジュールは、具体的に、
前記第１機器が前記複数のビーム訓練信号の受信品質をそれぞれ算出し、前記参照信号の受信品質と、前記複数のビーム訓練信号の受信品質から取得した参照受信品質を前記第２機器に送信し、前記第２機器によって前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信し、または、
前記第１機器が前記複数のビーム訓練信号の受信品質をそれぞれ算出し、前記参照信号の受信品質と、前記複数のビーム訓練信号の受信品質から取得した参照受信品質を比較し、比較結果を前記第２機器に送信し、前記第２機器によって比較結果に基づいて前記第２機器のビーム相反性が成立するか否かを特定すべく、複数のビーム訓練信号を前記第１機器に送信する請求項１６に記載の装置。
【請求項１８】
第１機器と第２機器とを含む機器ビーム相反性の特定システムであって、
第１機器は、
ビーム相反性に基づいて得られる送信ビームで参照信号を送信するように第２機器に指示する指示モジュールと、
前記第２機器から送信された参照信号を受信し、前記参照信号の受信品質を算出する第１算出モジュールと、
前記第２機器から送信された複数のビーム訓練信号を受信し、前記複数のビーム訓練信号の受信品質をそれぞれ算出する第２算出モジュールと、
前記参照信号の受信品質と、前記複数のビーム訓練信号の受信品質から取得した参照受信品質を比較し、比較結果に基づいて、前記第２機器のビーム相反性が成立するか否かを特定する処理モジュールとを含み、
第２機器は、
第１機器の指示を受信する受信モジュールと、
前記第１機器が参照信号の受信品質を算出すべく、前記第１機器の指示に基づいて、ビーム相反性に基づいて得られる送信ビームで参照信号を送信する第１送信モジュールと、
複数のビーム訓練信号の受信品質をそれぞれ算出し、前記参照信号の受信品質と、前記複数のビーム訓練信号の受信品質から取得した参照受信品質を比較し、比較結果に基づいて第２機器のビーム相反性が成立するか否かを特定すべく、複数のビーム訓練信号を前記第１機器に送信する第２送信モジュールとを含む、機器ビーム相反性の特定システム。
【発明の詳細な説明】
【技術分野】
【０００１】
本願は、２０１７年３月１７日に中国特許庁に提出された中国特許出願２０１７１０１６０６２９．６の優先権を主張し、その全ての内容が援用によりここに取り込まれる。
本開示は、通信技術分野に係り、特に機器ビーム相反性（Ｂｅａｍ  ｒｅｃｉｐｒｏｃｉｔｙ）の特定方法、装置および電子機器に係る。
【背景技術】
【０００２】
ピークレートおよびシステムのスペクトル利用率の向上に対するＭＩＮＯ（Ｍｕｌｔｉｐｌｅ−Ｉｎｐｕｔ  Ｍｕｌｔｉｐｌｅ−Ｏｕｔｐｕｔ）技術の重要な役割に鑑み、ＬＴＥ（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。ＭＩＭＯ技術の性能ゲインは、マルチアンテナシステムによって取得可能な空間自由度に由来する。よって、ＭＩＭＯ技術の標準化の発展過程における最も重要な進化方向は、次元の拡張である。
【０００３】
ＬＴＥ  Ｒｅｌ−８において、最多で４層のＭＩＭＯ伝送がサポートされる。Ｒｅｌ−９において、ＭＵ−ＭＩＭＯ技術の強化がポイントであり、ＴＭ（Ｔｒａｎｓｍｉｓｓｉｏｎ  Ｍｏｄｅ）−８のＭＵ−ＭＩＭＯ（Ｍｕｌｔｉ−Ｕｓｅｒ  ＭＩＭＯ）伝送では、最多で４つのダウンリンクデータ層がサポートされる。Ｒｅｌ−１０において、８アンテナポートをサポートすることを導入してチャネル状態情報の空間解析度をさらに向上させ、ＳＵ−ＭＩＭＯ（Ｓｉｎｇｌｅ−Ｕｓｅｒ  ＭＩＭＯ）の伝送能力を最多８つのデータ層まで拡張させる。Ｒｅｌ−１３とＲｅｌ−１４において、ＦＤ−ＭＩＭＯ技術の導入によって３２ポートまでサポートし、全次元および垂直方向のビームフォーミングが実現される。
【０００４】
ＭＩＭＯ技術の更なる向上のために、移動通信システムには大規模なアンテナ技術が導入される。基地局にとって、完全にデジタル化された大規模なアンテナは、１２８／２５６／５１２ものアンテナ振動子および１２８／２５６／５１２もの送受信機を有し、各アンテナ振動子が１つの送受信機に接続される。１２８／２５６／５１２ものアンテナポートのパイロット信号を送信することによって、端末は、チャネル状態情報を測定してフィードバックする。端末にとって、３２／６４ものアンテナ振動子のアンテナアレイを構成してもよい。基地局と端末の両方のビームフォーミングによって、巨大なビームフォーミングゲインを取得して経路損失による信号減衰を補う。特に高周波数帯域の通信において、たとえば３０ＧＨｚの周波数点では、経路損失によって無線信号のカバレッジが厳重に抑制される。大規模なアンテナ技術によって、無線信号のカバレッジを実用可能な範囲内に拡大させることができる。
【０００５】
完全にデジタル化されたアンテナアレイの各アンテナ振動子には独立な送受信機を有することによって、機器のサイズ、コストおよび電力消費は、大幅に上昇する。特に送受信機のアナログデジタルコンバータ（ＡＤＣ）とデジタルアナログコンバータ（ＤＡＣ）にとって、ここ十年で、その電力消費が１／１０程度しか低下しておらず、性能の向上も比較的に限られている。機器のサイズ、コストおよび電力消費を低下させるには、アナログビームフォーミングに基づく技術手段、および、デジタルアナログ混合型ビームフォーミング送受信アーキテクチャーが提案されている。
【０００６】
アナログビームフォーミングとデジタルアナログ混合型ビームフォーミングのいずれも、送受信の両方のアナログビームフォーミング重み値を調整する必要があり、それによって、形成されるビームは、通信の相手側に向けられる。ダウンリンク伝送の場合、基地局側から送信されるビームフォーミング重み値および端末側で受信されるビームフォーミング重み値を調整する必要があり、アップリンク伝送の場合、端末側から送信され、基地局側で受信されるビームフォーミング重み値を調整する必要がある。ビームフォーミング重み値は、通常、訓練信号の送信によって取得される。ダウンリンク方向において、基地局は、ダウンリンクビーム訓練信号を送信し、端末は、ダウンリンクビーム訓練信号を測定し、基地局からの最適な送信ビームを選択し、ビーム関連情報を基地局にフィードバックするとともに、対応する最適な受信ビームを選択してローカルに保存する。アップリンク方向において、端末は、アップリンクビーム訓練信号を送信し、基地局は、アップリンクビーム訓練信号を測定し、端末からの最適な送信ビームを選択し、ビーム関連情報を端末に伝達するとともに、対応する最適な受信ビームを選択してローカルに保存する。アップリンク／ダウンリンクの送受信ビームの訓練後に、データ伝送が行われる。
【０００７】
実際の機器における素子の非理想特性やアップリンク／ダウンリンク干渉の非相反性などによって、アップリンク／ダウンリンクビーム相反性は、常に成立するとは限らない。よって、通信品質の向上のために、基地局または端末によって相手側のビーム相反性が成立するか否かを測定可能な方法が必要である。
【発明の概要】
【発明が解決しようとする課題】
【０００８】
これに鑑み、本開示の実施例は、通信品質を向上させるための機器ビーム相反性の特定方法、装置、コンピュータ読み取り可能な記憶媒体および電子機器を提供する。
【課題を解決するための手段】
【０００９】
上記の技術問題を解決するために、本開示の実施例は、第１機器に応用される機器ビーム相反性の特定方法を提供する。当該方法において、ビーム相反性に基づいて得られる送信ビームで参照信号を送信するように第２機器に指示することと、前記第２機器から送信された参照信号を受信し、前記参照信号の受信品質を算出することと、前記第２機器から送信された複数のビーム訓練信号を受信し、前記複数のビーム訓練信号の受信品質をそれぞれ算出することと、前記参照信号の受信品質と、前記複数のビーム訓練信号の受信品質から取得した参照受信品質を比較し、比較結果に基づいて、前記第２機器のビーム相反性が成立するか否かを特定することとを含む。
【００１０】
ここで、前記ビーム相反性に基づいて得られる送信ビームで参照信号を送信するように第２機器に指示することは、前記第２機器の現在の最適な受信ビームまたは使用している受信ビームで送信ビームを特定し、特定した送信ビームで前記参照信号を送信するように前記第２機器に指示するための第１シグナリングを、前記第２機器に送信すること、または、目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記第２機器に指示するための第２シグナリングを、前記第２機器に送信することを含む。
【００１１】
ここで、前記第２機器から送信された参照信号を受信することは、前記第１機器にビーム相反性を有するのであれば、現在の送信ビームまたは前記第２機器に指示した目標送信ビームに対応する受信ビームで前記参照信号を受信すること、または、現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信すること、または、前記ビーム訓練信号を受信する信号品質が最適な受信ビームである最適なビーム訓練信号受信ビームで、前記参照信号を受信することを含む。
【００１２】
ここで、前記第２機器から送信された複数のビーム訓練信号を受信することは、前記第１機器にビーム相反性を有するのであれば、現在の送信ビームまたは前記第２機器に指示した目標送信ビームに対応する受信ビームで前記ビーム訓練信号を受信すること、または、前記参照信号を受信する信号品質が最適な受信ビームで、前記ビーム訓練信号を受信すること、または、現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信することを含む。
【００１３】
ここで、前記参照信号の受信品質と、前記複数のビーム訓練信号の受信品質から取得した参照受信品質を比較し、比較結果に基づいて、前記第２機器のビーム相反性が成立するか否かを特定することは、前記複数のビーム訓練信号の受信品質のうちの最大受信品質を特定し、前記最大受信品質を前記参照受信品質とすることと、前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定することとを含む。
【００１４】
ここで、前記参照信号の受信品質と、前記複数のビーム訓練信号の受信品質から取得した参照受信品質を比較し、比較結果に基づいて、前記第２機器のビーム相反性が成立するか否かを特定することは、前記複数のビーム訓練信号の受信品質を大きい順にソートし、前からＫ（１より大きい整数）個のビーム訓練信号の受信品質を選択することと、前記Ｋ個のビーム訓練信号の受信品質の平均値を算出し、前記平均値を前記参照受信品質とすることと、前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定することとを含む。
【００１５】
ここで、前記第２機器から送信された複数のビーム訓練信号を受信する前に、前記方法において、前記複数のビーム訓練信号の送信を前記第２機器に指示することをさらに含む。前記機器から送信された複数のビーム訓練信号を受信することは、具体的に、前記第２機器から指示に基づいて送信された前記複数のビーム訓練信号を受信する。
【００１６】
ここで、前記方法において、前記第２機器のビーム相反性が成立すると特定すれば、相反性ビームでデータを伝送するように前記第２機器に指示するための第１指示情報を前記第２機器に送信すること、または、前記第２機器のビーム相反性が成立しないと特定すれば、第１指定送信ビームでデータを伝送するように前記第２機器に指示するための第２指示情報を前記第２機器に送信すること、または、前記第２機器が前記第１機器から指示されたビームでデータを伝送すると特定し、前記第２機器のビーム相反性が成立すると特定すれば、相反性ビームでデータを伝送するように前記第２機器に指示するための第３指示情報を前記第２機器に送信すること、または、前記第２機器が前記第１機器から指示されたビームでデータを伝送すると特定し、前記第２機器のビーム相反性が成立しないと特定すれば、第２指定送信ビームでデータを伝送するように前記第２機器に指示するための第４指示情報を前記第２機器に送信することをさらに含む。
【００１７】
ここで、前記第２指示情報には、前記第１指定送信ビームのＩＤを含み、前記第４指示情報には、前記第２指定送信ビームのＩＤをさらに含む。
【００１８】
ここで、前記参照信号の受信品質と、前記複数のビーム訓練信号の受信品質から取得した参照受信品質を比較し、比較結果に基づいて、前記第２機器のビーム相反性が成立するか否かを特定することは、前記第１機器が、前記参照信号の受信品質と、前記複数のビーム訓練信号の受信品質から取得した参照受信品質を比較し、比較結果に基づいて、前記第２機器のビーム相反性が成立するか否かを特定すること、または、前記第２機器が、前記参照信号の受信品質と、前記複数のビーム訓練信号の受信品質から取得した参照受信品質を比較し、比較結果に基づいて、前記第２機器のビーム相反性が成立するか否かを特定すべく、前記第１機器が、前記参照信号の受信品質と、前記複数のビーム訓練信号の受信品質から取得した参照受信品質を前記第２機器に送信すること、または、前記第１機器が、前記参照信号の受信品質と、前記複数のビーム訓練信号の受信品質から取得した参照受信品質を比較し、前記第２機器が比較結果に基づいて前記第２機器のビーム相反性が成立するか否かを特定すべく、比較結果を前記第２機器に送信することを含む。
【００１９】
第２の方面として、本開示の実施例は、第２機器に応用される機器ビーム相反性の特定方法を提供する。当該方法において、第１機器の指示を受信することと、前記第１機器が参照信号の受信品質を算出すべく、前記第１機器の指示に基づいて、ビーム相反性に基づいて得られる送信ビームで参照信号を送信することと、複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信することとを含む。
【００２０】
ここで、前記第１機器の指示に基づいて、ビーム相反性に基づいて得られる送信ビームで参照信号を送信することは、前記第１機器から第１シグナリングを受信し、前記第１シグナリングに基づいて、現在の最適な受信ビームまたは使用している受信ビームで送信ビームを特定し、特定した送信ビームで前記参照信号を送信すること、または、目標送信ビームのＩＤ情報が含まれる第２シグナリングを前記第１機器から受信し、前記ＩＤ情報に基づいて、前記目標送信ビームを受信する最適な受信ビームで送信ビームを特定し、特定した送信ビームで前記参照信号を送信することを含む。
【００２１】
ここで、複数のビーム訓練信号を前記第１機器に送信する前に、前記方法において、複数のビーム訓練信号を送信する指示を前記第１機器から受信することをさらに含む。複数のビーム訓練信号を前記第１機器に送信することは、具体的に、複数のビーム訓練信号を送信する指示に基づいて、複数のビーム訓練信号を前記第１機器に送信する。
【００２２】
ここで、前記方法において、前記第２機器のビーム相反性の成立が前記第１機器によって特定された場合に送信される第１指示情報を前記第１機器から受信し、前記第１指示情報に基づいて、相反性ビームでデータを伝送すること、または、前記第２機器のビーム相反性の不成立が前記第１機器によって特定された場合に送信される第２指示情報を前記第１機器から受信し、前記第２指示情報に基づいて、第１指定送信ビームでデータを伝送すること、または、前記第２機器のビーム相反性が成立し、且つ前記第２機器が前記第１機器から指示されたビームでデータを伝送することが前記第１機器によって特定された場合に送信される第３指示情報を前記第１機器から受信し、前記第３指示情報に基づいて、相反性ビームでデータを伝送すること、または、前記第２機器のビーム相反性が成立しなく、且つ前記第２機器が前記第１機器から指示されたビームでデータを伝送することが前記第１機器によって特定された場合に送信される第４指示情報を前記第１機器から受信し、前記第４指示情報に基づいて、第２指定送信ビームでデータを伝送することをさらに含む。
【００２３】
ここで、前記第２指示情報には、前記第１指定送信ビームのＩＤを含み、前記第４指示情報には、前記第２指定送信ビームのＩＤをさらに含み、前記第４指示情報に基づいて、第２指定送信ビームでデータを伝送することは、具体的に、前記第４指示情報に基づいて、前記第２指定送信ビームのＩＤに対応する第２指定送信ビームでデータを伝送する。
【００２４】
ここで、複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信することは、前記第１機器が前記複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、前記第２機器が複数のビーム訓練信号を前記第１機器に送信すること、または、前記第１機器が前記複数のビーム訓練信号の受信品質をそれぞれ算出し、前記参照信号の受信品質と、前記複数のビーム訓練信号の受信品質から取得した参照受信品質を前記第２機器に送信し、前記第２機器によって、前記参照信号の受信品質と、前記複数のビーム訓練信号の受信品質から取得した参照受信品質を比較し、比較結果に基づいて前記第２機器のビーム相反性が成立するか否かを特定すべく、前記第２機器が複数のビーム訓練信号を前記第１機器に送信すること、または、前記第１機器が前記複数のビーム訓練信号の受信品質をそれぞれ算出し、前記参照信号の受信品質と、前記複数のビーム訓練信号の受信品質から取得した参照受信品質を比較し、比較結果を前記第２機器に送信し、前記第２機器によって比較結果に基づいて前記第２機器のビーム相反性が成立するか否かを特定すべく、前記第２機器が複数のビーム訓練信号を前記第１機器に送信することを含む。
【００２５】
第３の方面として、本開示の実施例は、ビーム相反性に基づいて得られる送信ビームで参照信号を送信するように第２機器に指示する指示モジュールと、前記第２機器から送信された参照信号を受信し、前記参照信号の受信品質を算出する第１算出モジュールと、前記第２機器から送信された複数のビーム訓練信号を受信し、前記複数のビーム訓練信号の受信品質をそれぞれ算出する第２算出モジュールと、前記参照信号の受信品質と、前記複数のビーム訓練信号の受信品質から取得した参照受信品質を比較し、比較結果に基づいて、前記第２機器のビーム相反性が成立するか否かを特定する処理モジュールとを含む機器ビーム相反性の特定装置を提供する。
【００２６】
ここで、前記指示モジュールは、具体的に、前記第２機器の現在の最適な受信ビームまたは使用している受信ビームで送信ビームを特定し、特定した送信ビームで前記参照信号を送信するように前記第２機器に指示するための第１シグナリングを、前記第２機器に送信し、または、目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記第２機器に指示するための第２シグナリングを、前記第２機器に送信する。
【００２７】
ここで、前記第１算出モジュールは、ビーム相反性を有するのであれば、現在の送信ビームまたは前記第２機器に指示した目標送信ビームに対応する受信ビームで前記参照信号を受信し、または、現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信し、または、前記ビーム訓練信号を受信する信号品質が最適な受信ビームである最適なビーム訓練信号受信ビームで、前記参照信号を受信する第１受信サブモジュールと、前記参照信号の受信品質を算出する第１算出サブモジュールとを含む。
【００２８】
ここで、前記第２算出モジュールは、ビーム相反性を有するのであれば、現在の送信ビームまたは前記第２機器に指示した目標送信ビームに対応する受信ビームで前記ビーム訓練信号を受信し、または、前記参照信号を受信する信号品質が最適な受信ビームで、前記ビーム訓練信号を受信し、または、現在の時刻で、受信ビーム候補でそれぞれビーム訓練信号を受信し、信号品質が最適な受信ビーム候補を特定し、前記信号品質が最適な受信ビーム候補で、後に送信されるビーム訓練信号を受信する第２受信サブモジュールと、前記複数のビーム訓練信号の受信品質をそれぞれ算出する第２算出サブモジュールとを含む。
【００２９】
ここで、前記処理モジュールは、前記複数のビーム訓練信号の受信品質のうちの最大受信品質を特定し、前記最大受信品質を前記参照受信品質とする第１特定サブモジュールと、前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する第２特定サブモジュールとを含む。
【００３０】
ここで、前記処理モジュールは、前記複数のビーム訓練信号の受信品質を大きい順にソートし、前からＫ（１より大きい整数）個のビーム訓練信号の受信品質を選択するソートサブモジュールと、前記Ｋ個のビーム訓練信号の受信品質の平均値を算出し、前記平均値を前記参照受信品質とする算出サブモジュールと、前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する第３特定サブモジュールとを含む。
【００３１】
ここで、前記指示モジュールは、さらに、前記複数のビーム訓練信号の送信を前記第２機器に指示し、前記第１算出モジュールは、前記機器から送信された複数のビーム訓練信号を受信する場合、具体的に、前記第２機器から指示に基づいて送信された前記複数のビーム訓練信号を受信する。
【００３２】
ここで、前記装置は、送信モジュールをさらに含む。前記送信モジュールは、前記第２機器のビーム相反性が成立すると特定すれば、相反性ビームでデータを伝送するように前記第２機器に指示するための第１指示情報を前記第２機器に送信し、または、前記第２機器のビーム相反性が成立しないと特定すれば、第１指定送信ビームでデータを伝送するように前記第２機器に指示するための第２指示情報を前記第２機器に送信し、または、前記第２機器が指示されたビームでデータを伝送すると特定し、前記第２機器のビーム相反性が成立すると特定すれば、相反性ビームでデータを伝送するように前記第２機器に指示するための第３指示情報を前記第２機器に送信し、または、前記第２機器が指示されたビームでデータを伝送すると特定し、前記第２機器のビーム相反性が成立しないと特定すれば、第２指定送信ビームでデータを伝送するように前記第２機器に指示するための第４指示情報を前記第２機器に送信する。
【００３３】
ここで、前記第２指示情報には、前記第１指定送信ビームのＩＤを含み、前記第４指示情報には、前記第２指定送信ビームのＩＤをさらに含む。
【００３４】
ここで、前記処理モジュールは、具体的に、前記第２機器が前記参照信号の受信品質と、前記複数のビーム訓練信号の受信品質から取得した参照受信品質を比較し、比較結果に基づいて前記第２機器のビーム相反性が成立するか否かを特定すべく、前記参照信号の受信品質と、前記複数のビーム訓練信号の受信品質から取得した参照受信品質を前記第２機器に送信し、または、前記参照信号の受信品質と、前記複数のビーム訓練信号の受信品質から取得した参照受信品質を比較し、前記第２機器が比較結果に基づいて前記第２機器のビーム相反性が成立するか否かを特定すべく、比較結果を前記第２機器に送信する。
【００３５】
第４の方面として、本開示の実施例は、第１機器の指示を受信する受信モジュールと、前記第１機器が参照信号の受信品質を算出すべく、前記第１機器の指示に基づいて、ビーム相反性に基づいて得られる送信ビームで参照信号を送信する第１送信モジュールと、複数のビーム訓練信号の受信品質をそれぞれ算出し、前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信する第２送信モジュールとを含む機器ビーム相反性の特定装置を提供する。
【００３６】
ここで、前記第１送信モジュールは、具体的に、前記第１機器から第１シグナリングを受信し、前記第１シグナリングに基づいて、現在の最適な受信ビームまたは使用している受信ビームで送信ビームを特定し、特定した送信ビームで前記参照信号を送信し、または、目標送信ビームのＩＤ情報が含まれる第２シグナリングを前記第１機器から受信し、前記ＩＤ情報に基づいて、前記目標送信ビームを受信する最適な受信ビームで送信ビームを特定し、特定した送信ビームで前記参照信号を送信する。
【００３７】
ここで、前記受信モジュールは、さらに、複数のビーム訓練信号を送信する指示を前記第１機器から受信し、前記第２送信モジュールは、複数のビーム訓練信号を前記第１機器に送信する場合、具体的に、複数のビーム訓練信号を送信する指示に基づいて、複数のビーム訓練信号を前記第１機器に送信する。
【００３８】
ここで、前記受信モジュールは、さらに、前記第１機器のビーム相反性テスト結果を受信する。前記装置において、処理モジュールをさらに含む。前記処理モジュールは、前記第２機器のビーム相反性の成立が前記第１機器によって特定された場合に送信される第１指示情報を前記第１機器から受信し、前記第１指示情報に基づいて、相反性ビームでデータを伝送し、または、前記第２機器のビーム相反性の不成立が前記第１機器によって特定された場合に送信される第２指示情報を前記第１機器から受信し、前記第２指示情報に基づいて、第１指定送信ビームでデータを伝送し、または、前記第２機器のビーム相反性が成立し、且つ前記第２機器が前記第１機器から指示されたビームでデータを伝送することが前記第１機器によって特定され場合に送信される第３指示情報を前記第１機器から受信し、前記第３指示情報に基づいて、相反性ビームでデータを伝送し、または、前記第２機器のビーム相反性が成立しなく、且つ前記第２機器が前記第１機器から指示されたビームでデータを伝送することが前記第１機器によって特定された場合に送信される第４指示情報を前記第１機器から受信し、前記第４指示情報に基づいて、第２指定送信ビームでデータを伝送する。
【００３９】
ここで、前記第２指示情報には、前記第１指定送信ビームでデータを伝送するように前記第２機器に指示するための第１指定送信ビームのＩＤを含み、前記第４指示情報には、前記第２指定送信ビームのＩＤをさらに含み、前記処理モジュールは、前記第４指示情報に基づいて、第２指定送信ビームでデータを伝送する場合、具体的に、前記第４指示情報に基づいて、前記第２指定送信ビームのＩＤに対応する第２指定送信ビームでデータを伝送する。
【００４０】
ここで、前記第２送信モジュールは、具体的に、前記第１機器が前記複数のビーム訓練信号の受信品質をそれぞれ算出し、前記参照信号の受信品質と、前記複数のビーム訓練信号の受信品質から取得した参照受信品質を前記第２機器に送信し、前記第２機器によって前記参照信号の受信品質と、前記複数のビーム訓練信号の受信品質から取得した参照受信品質を比較し、比較結果に基づいて前記第２機器のビーム相反性が成立するか否かを特定すべく、複数のビーム訓練信号を前記第１機器に送信し、または、前記第１機器が前記複数のビーム訓練信号の受信品質をそれぞれ算出し、前記参照信号の受信品質と、前記複数のビーム訓練信号の受信品質から取得した参照受信品質を比較し、比較結果を前記第２機器に送信し、前記第２機器によって比較結果に基づいて前記第２機器のビーム相反性が成立するか否かを特定すべく、複数のビーム訓練信号を前記第１機器に送信する。
【００４１】
第５の方面として、本開示の実施例は、ハウジングと、プロセッサと、メモリと、回路板と、電源回路を含む電子機器を提供する。回路板は、ハウジングで囲まれた空間の内部に設けられる。プロセッサとメモリは、回路板に設けられる。電源回路は、上記電子機器の各回路または素子に給電する。メモリは、実行可能なプログラムコードを記憶する。プロセッサは、メモリに記憶されている実行可能なプログラムコードを読み取ることによって、実行可能なプログラムコードに対応するプログラムを実行し、上記の機器ビーム相反性の特定方法を実行する。
【００４２】
第６の方面として、本開示の実施例は、コンピュータプログラムが記憶されているコンピュータ読み取り可能な記憶媒体を提供し、前記コンピュータプログラムがプロセッサによって実行されると、上記の機器ビーム相反性の特定方法が実現される。
【発明の効果】
【００４３】
本開示の実施例において、第１機器は、第２機器からビーム相反性に基づいて得られる送信ビームで送信されたパイロット信号の受信品質を算出し、第２機器から受信した複数のビーム訓練信号に基づいて前記複数のビーム訓練信号の受信品質を算出する。それから、第１機器は、前記パイロット信号の受信品質と、前記複数のビーム訓練信号の受信品質から取得した参照受信品質を比較し、比較結果に基づいて前記第２機器のビーム相反性が成立するか否かを特定する。本開示の実施例の技術手段によれば、第１機器は、第２機器のビーム相反性が成立するか否かを確実に特定することができ、対応するビームを正しく選択してデータを伝送することができ、通信品質を向上させる。
【図面の簡単な説明】
【００４４】
【図１】本開示の実施例における機器ビーム相反性の特定方法の第１フローチャートである。
【図２】本開示の実施例における機器ビーム相反性の特定方法の第２フローチャートである。
【図３】本開示の実施例における機器ビーム相反性の特定方法の第３フローチャートである。
【図４】本開示の実施例における機器ビーム相反性の特定方法の第４フローチャートである。
【図５】本開示の実施例における機器ビーム相反性の特定装置の概略図である。
【図６】本開示の実施例における機器ビーム相反性の特定装置の構造図である。
【図７】本開示の実施例における機器ビーム相反性の特定装置の別の概略図である。
【図８】本開示の実施例における機器ビーム相反性の特定装置の別の構造図である。
【図９】本開示の実施例における電子機器の概略図である。
【図１０】本開示の実施例における基地局の概略図である。
【図１１】本開示の実施例における基地局の別の概略図である。
【図１２】本開示の実施例における端末の概略図である。
【図１３】本開示の実施例における端末の別の概略図である。
【発明を実施するための形態】
【００４５】
以下、添付図面および実施例を通じて本開示の具体的な実施形態をさらに詳細に記載する。以下の実施例は、本開示を説明することに用いられるが、本開示の範囲を制限するためのものではない。
【００４６】
図１に示すように、本開示の実施例における機器ビーム相反性の特定方法は、第１機器に応用される。当該第１機器は、基地局または端末である。それに対応し、後記のステップにおける第２機器は、端末または基地局である。具体的に、当該方法は、下記ステップ１０１〜１０４を含む。
【００４７】
ステップ１０１において、ビーム相反性に基づいて得られる送信ビームで参照信号を送信するように第２機器に指示する。
【００４８】
送信ビームと受信ビームのビーム相反性とは、１つの機器による送信と受信において、同一組のビームフォーミング重み値によって、同一方向を指向する送信ビームまたは受信ビームが生成される。または、送信ビームと受信ビームに特定な対応関係を有し、すなわち、１つの端末（または基地局）に対しその受信ビームが与えられると、当該対応関係から、１つの送信ビームが特定される。その逆で、１つの端末（または基地局）に対しその送信ビームが与えられると、当該対応関係から、１つの受信ビームが特定される。
【００４９】
実際の応用において、現在、第２機器は、自身のビーム相反性が成立するか否かにかかわらず、自身のビーム相反性から送信ビームを得ることができる。ただ、第２機器自身のビーム相反性が成立する場合、その送信信号の信号品質は、ビーム相反性が成立しない場合の送信信号の信号品質より優れる。よって、本開示の実施例において、通信品質の向上のために、第２機器のビーム相反性が成立するか否かを特定する必要がある。
【００５０】
具体的に、実際の応用において、第１機器は、以下の方式によって、第２機器に対しその使用すべき送信ビームを指示する。
（１）第１機器は、前記第２機器の現在の最適な受信ビームまたは使用している受信ビームで送信ビームを特定し、特定した送信ビームで前記参照信号を送信するように前記第２機器に指示するための第１シグナリングを、前記第２機器に送信する。
（２）第１機器は、目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記第２機器に指示するための第２シグナリングを、前記第２機器に送信する。
【００５１】
ここで、前記参照信号は、パイロット信号、データ信号、データチャネルなどである。ここで、前記パイロット信号は、ＳＲＳ（Ｓｏｕｎｄｉｎｇ  Ｒｅｆｅｒｅｎｃｅ  Ｓｉｇｎａｌ）またはＤＭＲＳ（Ｄｅｍｏｄｕｌａｔｉｏｎ  Ｒｅｆｅｒｅｎｃｅ  Ｓｉｇｎａｌ）などである。
【００５２】
ステップ１０２において、前記第２機器から送信された参照信号を受信し、前記参照信号の受信品質を算出する。
【００５３】
実際の応用において、第１機器は、前記第２機器から送信された参照信号を、以下の方式によって受信する。
（１）前記第１機器は、ビーム相反性を有するのであれば、現在の送信ビームまたは前記第２機器に指示した目標送信ビームに対応する受信ビームで前記参照信号を受信する。ここで、目標送信ビームに対応する受信ビームとは、目標送信ビームとはビーム相反性の関係を有する受信ビームである。すなわち、目標送信ビームとビーム相反性から、対応する受信ビームが特定される。
（２）現在の時刻で、受信ビーム候補でそれぞれビーム訓練信号を受信し、最適な信号品質の受信ビーム候補を特定し、前記最適な信号品質の受信ビーム候補で、後に送信されるビーム訓練信号を受信する。ここで、前記最適な信号品質とは、信号電力が最も強いこと、ＳＩＮＲが最も高いことなどである。
（３）前記ビーム訓練信号を受信する信号品質が最適な受信ビームである最適なビーム訓練信号受信ビームで、前記参照信号を受信する。ここで、前記受信品質は、受信信号電力を含み、それに限られない。
【００５４】
ステップ１０３において、前記第２機器から送信された複数のビーム訓練信号を受信し、前記複数のビーム訓練信号の受信品質をそれぞれ算出する。
【００５５】
実際の応用において、第１機器は、以下の方式によって、前記複数のビーム訓練信号を受信する。
（１）前記第１機器は、ビーム相反性を有するのであれば、現在の送信ビームまたは前記第２機器に指示した目標送信ビームに対応する受信ビームで前記ビーム訓練信号を受信する。
（２）前記参照信号を受信する信号品質が最適な受信ビームで、前記ビーム訓練信号を受信する。
（３）現在の時刻で、受信ビーム候補でそれぞれビーム訓練信号を受信し、最適な信号品質の受信ビーム候補を特定し、前記最適な信号品質の受信ビーム候補で、後に送信されるビーム訓練信号を受信する。
【００５６】
ステップ１０４において、前記参照信号の受信品質と、前記複数のビーム訓練信号の受信品質から取得した参照受信品質を比較し、比較結果に基づいて、前記第２機器のビーム相反性が成立するか否かを特定する。
【００５７】
このステップにおいて、以下の方式によって、前記第２機器のビーム相反性が成立するか否かを特定する。
方式１：前記複数のビーム訓練信号の受信品質のうちの最大受信品質を特定し、前記最大受信品質を前記参照受信品質とする。前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する。
方式２：前記複数のビーム訓練信号の受信品質を大きい順にソートし、前からＫ（１より大きい整数）個のビーム訓練信号の受信品質を選択する。前記Ｋ個のビーム訓練信号の受信品質の平均値（または、セット平均値など、ほかの演算値）を算出し、前記平均値を前記参照受信品質とする。前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する。
【００５８】
上記実施例において、通信品質をさらに向上させるには、ステップ１０２の前に、前記複数のビーム訓練信号の送信を前記第２機器に指示することをさらに含む。この場合、ステップ１０３は、具体的に、前記第２機器から指示に基づいて送信された前記複数のビーム訓練信号を受信する。
【００５９】
第２機器にビーム相反性を有するか否かを特定してから、特定結果を第２機器に通知する。
【００６０】
具体的に、前記第２機器のビーム相反性が成立すると特定すれば、相反性ビームでデータを伝送するように前記第２機器に指示するための第１指示情報を前記第２機器に送信する。前記第２機器のビーム相反性が成立しないと特定すれば、第１指定送信ビームでデータを伝送するように前記第２機器に指示するための第２指示情報を前記第２機器に送信する。前記第２機器が前記第１機器から指示されたビームでデータを伝送すると特定し、前記第２機器のビーム相反性が成立すると特定すれば、相反性ビームでデータを伝送するように前記第２機器に指示するための第３指示情報を前記第２機器に送信する。前記第２機器が前記第１機器から指示されたビームでデータを伝送すると特定し、前記第２機器のビーム相反性が成立しないと特定すれば、第２指定送信ビームでデータを伝送するように前記第２機器に指示するための第４指示情報を前記第２機器に送信する。
【００６１】
ここで、前記第２指示情報には、前記第１指定送信ビームでデータを伝送するように前記第２機器に指示するための第１指定送信ビームのＩＤを含み、前記第４指示情報には、前記第２指定送信ビームのＩＤをさらに含む。ここで第１指定送信ビームと第２指定送信ビームは、第１機器によって任意に選択された送信ビームであり、または、受信品質に基づいて特定された送信ビームである。
【００６２】
以上から、本開示の実施例によれば、第１機器は、第２機器のビーム相反性が成立するか否かを確実に特定することができ、対応するビームを正しく選択してデータを伝送することができ、通信品質を向上させることが分かる。
【００６３】
図１に示す実施例のステップ１０４において、上記方法に従って、第１機器によって第２機器のビーム相反性が成立するか否かを特定してもよく、以下の方式に従って、第２機器によって第２機器のビーム相反性が成立するか否かを特定してもよい。
（１）前記第１機器は、前記参照信号の受信品質と、前記複数のビーム訓練信号の受信品質から取得した参照受信品質を前記第２機器に送信する。よって、前記第２機器は、前記参照信号の受信品質と、前記複数のビーム訓練信号の受信品質から取得した参照受信品質を比較し、比較結果に基づいて前記第２機器のビーム相反性が成立するか否かを特定する。
（２）前記第１機器は、前記参照信号の受信品質と、前記複数のビーム訓練信号の受信品質から取得した参照受信品質を比較し、比較結果を前記第２機器に送信する。よって、前記第２機器は、比較結果に基づいて、前記第２機器のビーム相反性が成立するか否かを特定する。
【００６４】
ここで、前記第２機器によって、ビーム相反性が成立するか否かを特定する方法は、ステップ１０４の２種類の方式を参照されたい。
【００６５】
図２に示すように、本開示の実施例における機器ビーム相反性の特定方法は、第２機器に応用される。当該方法において、下記のステップ２０１〜２０３を含む。
【００６６】
ステップ２０１において、第１機器の指示を受信する。
【００６７】
ステップ２０２において、前記第１機器の指示に基づいて、ビーム相反性に基づいて得られる送信ビームで参照信号を送信する。よって、前記第１機器は、前記参照信号の受信品質を算出する。
【００６８】
具体的に、このステップにおいて、前記第１機器から第１シグナリングを受信し、前記第１シグナリングに基づいて、現在の最適な受信ビームまたは使用している受信ビームで送信ビームを特定し、特定した送信ビームで前記参照信号を送信する。または、目標送信ビームのＩＤ情報が含まれる第２シグナリングを前記第１機器から受信し、前記ＩＤ情報に基づいて、前記目標送信ビームを受信する最適な受信ビームで送信ビームを特定し、特定した送信ビームで前記参照信号を送信する。
【００６９】
ステップ２０３において、複数のビーム訓練信号を前記第１機器に送信する。よって、前記複数のビーム訓練信号の受信品質をそれぞれ算出し、前記参照信号の受信品質と、前記複数のビーム訓練信号の受信品質から取得した参照受信品質を比較し、比較結果に基づいて、前記第２機器のビーム相反性が成立するか否かを特定する。
【００７０】
このステップにおいて、第２機器は、複数のビーム訓練信号を送信する指示を前記第１機器から受信し、それから当該指示に基づいて、複数のビーム訓練信号を前記第１機器に送信してもよい。
【００７１】
通信品質をさらに向上させるには、本開示の実施例２は、さらに以下を含んでもよい。
前記第２機器のビーム相反性の成立が前記第１機器によって特定された場合に送信される第１指示情報を前記第１機器から受信し、前記第１指示情報に基づいて、相反性ビームでデータを伝送する。
または、前記第２機器のビーム相反性の不成立が前記第１機器によって特定された場合に送信される第２指示情報を前記第１機器から受信し、前記第２指示情報に基づいて、第１指定送信ビームでデータを伝送する。前記第２指示情報には、前記第１指定送信ビームでデータを伝送するように前記第２機器に指示するための第１指定送信ビームのＩＤを含む。
または、前記第２機器のビーム相反性が成立し、且つ前記第２機器が前記第１機器から指示されたビームでデータを伝送することが前記第１機器によって特定された場合に送信される第３指示情報を前記第１機器から受信し、前記第３指示情報に基づいて、相反性ビームでデータを伝送する。
または、前記第２機器のビーム相反性が成立しなく、且つ前記第２機器が前記第１機器から指示されたビームでデータを伝送することが前記第１機器によって特定された場合に送信される第４指示情報を前記第１機器から受信し、前記第４指示情報に基づいて、第２指定送信ビームでデータを伝送する。前記第４指示情報には、前記第２指定送信ビームのＩＤをさらに含む。この場合、第２機器は、前記第４指示情報に基づいて、前記第２指定送信ビームのＩＤに対応する第２指定送信ビームでデータを伝送する。
【００７２】
以上から、本開示の実施例によれば、第１機器は、第２機器のビーム相反性が成立するか否かを確実に特定することができ、対応するビームを正しく選択してデータを伝送することができ、通信品質を向上させることが分かる。
【００７３】
図２に示す実施例において、以下の方式に従って、第２機器のビーム相反性が成立するか否かを特定する。
（１）前記第２機器は、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を比較し、比較結果に基づいて、前記第２機器のビーム相反性が成立するか否かを特定する。
（２）前記第２機器は、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を前記第２機器に送信する。前記第２機器は、前記参照信号の受信品質と、前記複数のビーム訓練信号の受信品質から取得した参照受信品質を比較し、比較結果に基づいて、前記第２機器のビーム相反性が成立するか否かを特定する。
（３）前記第２機器は、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を比較し、比較結果を前記第２機器に送信する。前記第２機器は、比較結果に基づいて、前記第２機器のビーム相反性が成立するか否かを特定する。
【００７４】
ここで、前記第２機器のビーム相反性が成立するか否かの特定方法は、ステップ１０４の２種類の方式を参照されたい。
【００７５】
本開示の実施例において、第１機器が基地局であり、第２機器が端末であることを例とし、本開示の実施例における機器ビーム相反性の特定方法の実現プロセスを記載する。
【００７６】
図３に示すように、本開示の実施例における機器ビーム相反性の特定方法は、下記ステップ３０１〜３０６を含む。
【００７７】
ステップ３０１において、基地局は、ビーム相反性に基づいて得られるアップリンク送信ビームでパイロット信号を送信するように端末に指示する。ここで、基地局は、アップリンク送信ビームをどのように特定するかを、以下の方式で端末に指示する。
（ａ）基地局は、端末の現在の最適なダウンリンク受信ビームまたは使用しているダウンリンク受信ビームでアップリンク送信ビームを算出するように（たとえばシグナリングによって）端末に指示する。
（ｂ）基地局は、ダウンリンク送信ビームのＩＤ情報が含まれるシグナリングであって、当該ダウンリンク送信ビームを受信する最適なダウンリンク受信ビームでアップリンク送信ビームを算出するように端末に指示するシグナリングを、端末に送信する。
【００７８】
シグナリングに付帯されるダウンリンク送信ビームのＩＤは、目標ダウンリンク送信ビームのＩＤと称されてもよい。ここで、当該目標ダウンリンク送信ビームは、基地局が端末の測定および報告に基づいて特定した最適な信号品質のダウンリンク送信ビームである。実際の応用において、ダウンリンク送信ビームのＩＤ情報は、システムにおける当該ダウンリンク送信ビームの番号であってもよく、基地局から送信されるダウンリンク参照信号（たとえばＣＳＩ−ＲＳ）のリソースＩＤなどであってもよい。
【００７９】
ここで、送信ビームと受信ビームのビーム相反性とは、１つの機器の送信と受信において、同一組のビームフォーミング重み値によって、同一方向を指向する送信ビームまたは受信ビームが生成される。または、送信ビームと受信ビームに特定な対応関係を有し、すなわち、１つの端末（または基地局）に対しその受信ビームが与えられると、当該対応関係から、１つの送信ビームが特定される。その逆で、１つの端末（または基地局）に対しその送信ビームが与えられると、当該対応関係から、１つの受信ビームが特定される。
【００８０】
このステップにおいて、当該パイロット信号は、ＳＲＳまたはＤＭＲＳなどである。
【００８１】
ステップ３０２において、基地局は、端末から送信されたパイロット信号を受信し、パイロット信号の受信品質を算出する。
【００８２】
ここで、当該受信品質は、受信信号電力などである。
【００８３】
このステップにおいて、基地局は、下記のアップリンク受信ビームで当該パイロット信号を受信する。
（ａ）基地局のビーム相反性が成立するのであれば、基地局は、現在のダウンリンク送信ビームまたはステップ３０１のシグナリングで指示されたダウンリンク送信ビームに対応するアップリンク受信ビームで当該パイロット信号を受信する。
（ｂ）基地局は、アップリンク受信ビーム候補から、当該パイロット信号を受信するアップリンク受信ビームを選択する。
仮に基地局に計
【数１】
0006972162.tif 000002
個のアップリンク受信ビーム候補を有し、各アップリンク受信ビームが１組のビームフォーミング重み値に対応し、第ｎ個のアップリンク受信ビーム候補のビームフォーミング重み値は、
【数２】
0006972162.tif 000003
である。ここでＫは、ビームフォーミングのアンテナ素子数であり、基地局のアンテナ素子数より小さい。
基地局は、端末から送信されたパイロット信号の受信を、アップリンク受信ビーム候補毎に試み、最適な信号品質のアップリンク受信ビーム候補を、最終的にパイロット信号を受信するアップリンク受信ビームとする。
ｃ）本開示の実施例の方法が初めて実行されるのではない場合、本方法実施例を実行する前回の結果に基づいて、アップリンクビーム訓練信号を受信する信号品質が最適なアップリンク受信ビームを選択して当該パイロット信号を受信する。
ここで、前記最適な信号品質とは、信号電力が最も強いこと、ＳＩＮＲが最も高いことなどである。
【００８４】
ステップ３０３において、基地局は、複数のアップリンク送信ビーム候補のアップリンクビーム訓練信号を送信するように端末に指示する。
【００８５】
ここで、端末から送信可能なアップリンク送信ビーム候補の数は、端末のハードウェアの能力による。仮に端末に計
【数３】
0006972162.tif 000004
個のアップリンク送信ビーム候補を有し、各アップリンク送信ビーム候補が１組のビームフォーミング重み値に対応し、第ｎ個のアップリンク送信ビーム候補のビームフォーミング重み値は、
【数４】
0006972162.tif 000005
である。ここでＬは、ビームフォーミングのアンテナ素子数であり、端末のアンテナユニット数より小さい。
【００８６】
端末は、アップリンク送信ビーム候補毎に１つのビーム訓練信号を送信する。たとえば、
【数５】
0006972162.tif 000006
個のアップリンク送信ビームに対し、端末は、
【数６】
0006972162.tif 000007
個の訓練信号を送信する。当該
【数７】
0006972162.tif 000008
個の訓練信号の間は、ＴＤＭ（ｔｉｍｅ−ｄｉｖｉｓｉｏｎ  ｍｕｌｔｉｐｌｅｘｉｎｇ）、ＦＤＭ（Ｆｒｅｑｕｅｎｃｙ  Ｄｉｖｉｓｉｏｎ  Ｍｕｌｔｉｐｌｅｘｉｎｇ）、ＣＤＭ（ｃｏｄｅ  ｄｉｖｉｓｉｏｎ  ｍｕｌｔｉｐｌｅｘｉｎｇ）または各種類の多重化方式の組み合わせが用いられる。
【００８７】
たとえば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を基とするシステムにおいて、
【数８】
0006972162.tif 000009
個の訓練信号は、
【数９】
0006972162.tif 000010
個のＯＦＤＭシンボルを占め、各訓練信号は、１つのＯＦＤＭシンボルを占め、訓練信号の間は、ＴＤＭである。もちろん、１つのＯＦＤＭシンボルで複数のアップリンク送信ビーム候補のアップリンクビーム訓練信号を送信してもよく、それらの間は、ＦＤＭまたはＣＤＭである。
【００８８】
端末にとって、各アップリンク送信ビーム候補のアップリンクビーム訓練信号は、当該アップリンク送信ビーム候補に対応するビームフォーミング重み値でフォーミングされてから送信される。ここで、端末から送信されるアップリンクビーム訓練信号は、基地局によって構成されたリソースで送信される。構成されたリソースは、周期性リソース、非周期性リソースまたは半継続的リソースである。
【００８９】
ステップ３０４において、基地局は、端末から送信されたアップリンクビーム訓練信号を受信し、アップリンクビーム訓練信号の受信品質を算出する。
【００９０】
ここで、当該受信品質は、受信信号電力などである。
【００９１】
実際の応用において、基地局は、以下の方式で特定されたアップリンク受信ビームでアップリンクビーム訓練信号を受信する。
（ａ）基地局は、ステップ３０２で特定されたアップリンク受信ビームでアップリンクビーム訓練信号を受信する。
（１）基地局のビーム相反性が成立するのであれば、基地局は、現在のダウンリンク送信ビームまたはステップ３０１のシグナリングで指示したダウンリンクビームに対応するアップリンク受信ビームでアップリンクビーム訓練信号を受信する。
（２）基地局は、アップリンク受信ビーム候補から、当該アップリンクビーム訓練信号を受信するアップリンク受信ビームを選択する。たとえば、基地局は、パイロット信号を受信する信号品質が最適なアップリンク受信ビーム候補を、最終的にアップリンクビーム訓練信号を受信するアップリンク受信ビームとして選択する。
（ｂ）基地局は、端末から送信されたアップリンクビーム訓練信号を受信することによって、アップリンクビーム訓練信号を受信するアップリンク受信ビームを特定する。基地局のアップリンク受信ビームは、アップリンク受信ビーム候補から選択される。
【００９２】
仮に基地局に計
【数１０】
0006972162.tif 000011
個のアップリンク受信ビームを有し、各アップリンク受信ビームが１組のビームフォーミング重み値に対応し、第ｎ個のビームの受信ビームフォーミング重み値は、
【数１１】
0006972162.tif 000012
である。ここでＫは、ビームフォーミングのアンテナ素子数であり、基地局のアンテナ素子数より小さい。
【００９３】
基地局は、１つのアップリンクビーム訓練信号の受信を、アップリンク受信ビーム候補毎に試み、最適な信号品質のアップリンク受信ビーム候補を、当該アップリンクビーム訓練信号を受信するアップリンク受信ビームとして選択する。
【００９４】
ステップ３０５において、基地局は、前記パイロット信号の受信品質と、前記複数のビーム訓練信号の受信品質から取得した参照受信品質を比較し、比較結果に基づいて、端末のビーム相反性が成立するか否かを特定する。
【００９５】
このステップにおいて、基地局は、以下の方式によって、端末のビーム相反性が成立するか否かを特定する。
（ａ）基地局は、すべてのアップリンクビーム訓練信号の受信品質を比較し、そのうちの最大値を特定してＡと記する。当該最大値に対応するアップリンク送信ビームは、最適なアップリンク送信ビームである。相反性ビームで送信されるパイロット信号の受信品質をＢと記する。
パイロット信号の受信品質がアップリンクビーム訓練信号の受信品質のうちの最大値より優れる（Ｂ＞Ａ）場合や、アップリンクビーム訓練信号の受信品質のうちの最大値とパイロット信号の受信品質との差が所定の閾値より小さくなる（Ａ−Ｂ＜Ｔｈｒｅｓｈｏｌｄ）場合、端末のビーム相反性が成立すると見なすが、逆の場合、端末のビーム相反性が成立しないと見なす。ここで、当該閾値は、経験に基づいて設定される。
（ｂ）基地局は、すべてのアップリンクビーム訓練信号の受信品質を大きい順にソートし、前からＫ（任意に選択され、たとえば１より大きい整数）個のアップリンクビーム訓練信号の受信品質（Ａ１，Ａ２，…，ＡＫと記する）を選択する。相反性ビームで送信されるパイロット信号の受信品質をＢと記する。
前記Ｋ個のアップリンクビーム訓練信号の受信品質の平均値（または、セット平均値など、ほかの演算値）を算出する。ここで、前記平均値を前記参照受信品質とする。
パイロット信号の受信品質がＫ個のアップリンクビーム訓練信号の受信品質の平均値（すなわち参照受信品質）より大きくなり（Ｂ＞［Ａ１＋Ａ２＋…＋ＡＫ］／Ｋ）、または、Ｋ個のアップリンクビーム訓練信号の受信品質の平均値（すなわち参照受信品質）とパイロット信号の受信品質との差が所定の閾値より小さくなる（［Ａ１＋Ａ２＋…＋ＡＫ］／Ｋ−Ｂ＜Ｔｈｒｅｓｈｏｌｄ）と、端末のビーム相反性が成立すると見なすが、逆の場合、端末のビーム相反性が成立しないと見なす。ここで、当該閾値は、経験に基づいて設定される。
【００９６】
ステップ３０６において、基地局は、ビーム相反性のテスト結果を端末に送信し、すなわち端末に対しそのビーム相反性が成立するか否かを通知する。
【００９７】
本開示の実施例において、基地局は、端末が相反性ビームで伝送するか否かに基づいて、異なる方式で端末に通知する。
（ａ）端末は、相反性ビームで伝送する。
実際の応用において、基地局は、本実施例を実行する以前の結果や事前の判断に基づいて、端末が相反性ビームで伝送しているか否かを特定する。
（１）端末のビーム相反性が成立するのであれば、基地局は、相反性ビームでデータを伝送するように前記端末に指示するための第１指示情報を端末に送信する。または、基地局は、テスト結果を端末に送信しなくてもよい。端末は、事前の取り決めに基づいて、引き続き相反性ビームによる伝送をデフォルトとする。
（２）端末のビーム相反性が成立しないのであれば、基地局は、指定されたアップリンク送信ビームでデータを伝送するように端末に指示するための第２指示情報を端末に送信する。ここで、当該第２指示には、端末の使用すべきアップリンク送信ビームを指示するための、端末の使用を指示するアップリンク送信ビーム（すなわち指定されたアップリンク送信ビーム）のＩＤを含む。当該ＩＤは、たとえばアップリンクビーム訓練信号のＩＤである。端末は、当該指示を受信すると、相反性ビームによる伝送を停止させ、指定されたアップリンク送信ビームでデータを伝送する。
（ｂ）現在の端末は、基地局から指示されたビームで伝送する。
（１）端末のビーム相反性が成立するのであれば、基地局は、端末のビーム相反性が成立し、端末の相反性ビームによる伝送が可能であることを端末に指示するための第３指示情報を端末に送信する。
（２）端末のビーム相反性が成立しないのであれば、基地局は、端末の使用すべきアップリンク送信ビームを指示するためのアップリンク送信ビームの指示情報が含まれる第４指示情報を端末に送信する。当該指示情報は、たとえばアップリンクビーム訓練信号のＩＤである。もちろん、この場合、基地局は、指示情報を端末に送信しなくてもよい。端末は、事前の取り決めに基づいて、引き続き、現在のアップリンク送信ビームによるアップリンクのデータ伝送を維持する。
【００９８】
上記プロセスにおいて、端末のビーム相反性に対する基地局のテストプロセスは、周期的に行われてもよく、基地局からトリガーされて非周期的に行われてもよい。
【００９９】
以上から、本開示の実施例によれば、基地局は、端末のビーム相反性が成立するか否かを確実に特定することができ、対応するビームを正しく選択してデータを伝送することができ、通信品質を向上させることが分かる。
【０１００】
本開示の実施例において、第１機器が端末であり、第２機器が基地局であることを例とし、本開示の実施例における機器ビーム相反性の特定方法の実現プロセスを記載する。当該実施例の原理は、図３に示す実施例と同じであり、単に伝送方向が相違する。
【０１０１】
図４に示すように、本開示の実施例における機器ビーム相反性の特定方法は、下記ステップ４０１〜４０６を含む。
【０１０２】
ステップ４０１において、端末は、ビーム相反性に基づいて得られるダウンリンク送信ビームでパイロット信号を送信するように基地局に指示する。ここで、端末は、ダウンリンク送信ビームをどのように特定するかを、以下の方式で基地局に指示する。
（ａ）端末は、基地局の現在の最適なアップリンク受信ビーム（または使用しているアップリンク受信ビーム）でダウンリンク送信ビームを算出するように（たとえばシグナリングによって）基地局に指示する。
（ｂ）端末は、アップリンク送信ビームのＩＤ情報が含まれるシグナリングであって、当該アップリンク送信ビームを受信する最適なアップリンク受信ビームでダウンリンク送信ビームを算出するように基地局に指示するシグナリングを、基地局に送信する。
【０１０３】
ステップ４０２において、端末は、基地局から送信されたパイロット信号を受信し、パイロット信号の受信品質を算出する。
【０１０４】
ここで、当該受信品質は、受信信号電力などである。
【０１０５】
このステップにおいて、端末は、下記のダウンリンク受信ビームで当該パイロット信号を受信する。
（ａ）端末のビーム相反性が成立するのであれば、端末は、現在のアップリンク送信ビームまたはステップ４０１のシグナリングで指示されたアップリンク送信ビームに対応するダウンリンク受信ビームで当該パイロット信号を受信する。
（ｂ）端末は、ダウンリンク受信ビーム候補から、当該パイロット信号を受信するダウンリンク受信ビームを選択する。
端末は、基地局から送信されたパイロット信号の受信を、ダウンリンク受信ビーム候補毎に試み、最適な信号品質のダウンリンク受信ビーム候補を、最終的にパイロット信号を受信するダウンリンク受信ビームとして選択する。
ｃ）本開示の実施例の方法が初めて実行されるのではない場合、本方法実施例を実行する前回の結果に基づいて、ビーム訓練信号を受信する信号品質が最適なダウンリンク受信ビームを選択して当該パイロット信号を受信する。
【０１０６】
ステップ４０３において、端末は、複数のダウンリンク送信ビーム候補のダウンリンクビーム訓練信号を送信するように基地局に指示する。
【０１０７】
ステップ４０４において、端末は、基地局から送信されたダウンリンクビーム訓練信号を受信し、ダウンリンクビーム訓練信号の受信品質を算出する。
【０１０８】
ここで、当該受信品質は、受信信号電力などである。
【０１０９】
実際の応用において、端末は、以下の方式で特定されたダウンリンク受信ビームでダウンリンクビーム訓練信号を受信する。
（ａ）端末は、ステップ４０２で特定されたダウンリンク受信ビームでダウンリンクビーム訓練信号を受信する。
（１）端末のビーム相反性が成立するのであれば、端末は、現在のアップリンク送信ビームまたはステップ４０１のシグナリングで指示したアップリンク送信ビームに対応するダウンリンク受信ビームで当該ダウンリンクビーム訓練信号を受信する。
（２）端末は、ダウンリンク受信ビーム候補から、当該ダウンリンクビーム訓練信号を受信するダウンリンク受信ビームを選択する。たとえば、端末は、パイロット信号を受信する信号品質が最適なダウンリンク受信ビーム候補を、最終的にダウンリンクビーム訓練信号を受信するダウンリンク受信ビームとして選択する。
（ｂ）端末は、基地局から送信されたダウンリンクビーム訓練信号を受信することによって、ダウンリンクビーム訓練信号を受信するダウンリンク受信ビームを特定する。端末のダウンリンク受信ビームは、ダウンリンク受信ビーム候補から選択される。
【０１１０】
端末は、１つのダウンリンクビーム訓練信号の受信を、ダウンリンク受信ビーム候補毎に試み、最適な信号品質のダウンリンク受信ビーム候補を、当該ダウンリンクビーム訓練信号のダウンリンク受信ビームとして選択する。
【０１１１】
ステップ４０５において、端末は、前記パイロット信号の受信品質と、前記複数のビーム訓練信号の受信品質から取得した参照受信品質を比較し、比較結果に基づいて、基地局のビーム相反性が成立するか否かを特定する。
【０１１２】
このステップにおいて、端末は、以下の方式によって、基地局のビーム相反性が成立するか否かを特定する。
（ａ）端末は、すべてのダウンリンクビーム訓練信号の受信品質を比較し、そのうちの最大値を特定してＡと記する。当該最大値に対応するダウンリンク送信ビームは、最適なダウンリンク送信ビームである。相反性ビームで送信されるパイロット信号の受信品質をＢと記する。
パイロット信号の受信品質がダウンリンクビーム訓練信号の受信品質のうちの最大値より優れる（Ｂ＞Ａ）場合や、ダウンリンクビーム訓練信号の受信品質のうちの最大値とパイロット信号の受信品質との差が所定の閾値より小さくなる（Ａ−Ｂ＜Ｔｈｒｅｓｈｏｌｄ）場合、基地局のビーム相反性が成立すると見なすが、逆の場合、基地局のビーム相反性が成立しないと見なす。ここで、当該閾値は、経験に基づいて設定される。
（ｂ）端末は、すべてのダウンリンクビーム訓練信号の受信品質を大きい順にソートし、前からＫ（任意に選択され、たとえば１より大きい整数）個のダウンリンクビーム訓練信号の受信品質（Ａ１，Ａ２，…，ＡＫと記する）を選択する。相反性ビームで送信されるパイロット信号の受信品質をＢと記する。
前記Ｋ個のダウンリンクビーム訓練信号の受信品質の平均値（または、セット平均値など、ほかの演算値）を算出する。ここで、前記平均値を前記参照受信品質とする。
パイロット信号の受信品質がＫ個のダウンリンクビーム訓練信号の受信品質の平均値（すなわち参照受信品質）より大きくなり（Ｂ＞［Ａ１＋Ａ２＋…＋ＡＫ］／Ｋ）、または、Ｋ個のダウンリンクビーム訓練信号の受信品質の平均値（または、セット平均値など、ほかの演算値）とパイロット信号の受信品質との差が所定の閾値より小さくなる（［Ａ１＋Ａ２＋…＋ＡＫ］／Ｋ−Ｂ＜Ｔｈｒｅｓｈｏｌｄ）と、基地局のビーム相反性が成立すると見なすが、逆の場合、基地局のビーム相反性が成立しないと見なす。ここで、当該閾値は、経験に基づいて設定される。
【０１１３】
ステップ４０６において、端末は、ビーム相反性のテスト結果を基地局に送信し、すなわち基地局に対しそのビーム相反性が成立するか否かを通知する。
【０１１４】
本開示の実施例において、端末は、基地局が相反性ビームで伝送するか否かに基づいて、異なる方式で基地局に通知する。
（ａ）基地局は、相反性ビームで伝送する。
実際の応用において、端末は、本実施例を実行する以前の結果や事前の判断に基づいて、基地局が相反性ビームで伝送しているか否かを特定する。
（１）基地局のビーム相反性が成立するのであれば、端末は、相反性ビームでデータを伝送するように基地局に指示するための第１指示情報を基地局に送信する。または、端末は、テスト結果を基地局に送信しなくてもよい。基地局は、事前の取り決めに基づいて、引き続き相反性ビームによる伝送をデフォルトとする。
（２）基地局のビーム相反性が成立しないのであれば、端末は、指定されたダウンリンク送信ビームでデータを伝送するように基地局に指示するための第２指示情報を基地局に送信する。ここで、当該第２指示には、基地局の使用すべきダウンリンク送信ビームを指示するための、基地局の使用を指示するダウンリンク送信ビーム（すなわち指定されたダウンリンク送信ビーム）のＩＤを含む。当該ＩＤは、たとえばダウンリンクビーム訓練信号のＩＤである。
（ｂ）現在の基地局は、端末から指示されたビームで伝送する。
（１）基地局のビーム相反性が成立するのであれば、端末は、基地局のビーム相反性が成立し、基地局の相反性ビームによる伝送が可能であることを基地局に指示するための第３指示情報を基地局に送信する。
（２）基地局のビーム相反性が成立しないのであれば、端末は、基地局の使用すべきダウンリンク送信ビームを指示するためのダウンリンク送信ビームの指示情報が含まれる第４指示情報を基地局に送信する。当該指示情報は、たとえばダウンリンクビーム訓練信号のＩＤである。もちろん、この場合、端末は、指示情報を基地局に送信しなくてもよい。基地局は、事前の取り決めに基づいて、引き続き、現在のダウンリンク送信ビームによるダウンリンクのデータ伝送を維持する。
【０１１５】
上記プロセスにおいて、基地局のビーム相反性に対する端末のテストプロセスは、周期的に行われてもよく、端末局からトリガーされて非周期的に行われてもよい。
【０１１６】
なお、実施例において、上記ステップ４０５の後に、ステップ４０６を省略してもよい。端末は、比較結果を基地局に送信し、基地局自身によって、基地局の相反性が成立するか否かを特定する。または、実施例において、上記ステップ４０４の後に、ステップ４０５と４０６を省略してもよい。端末は、取得したパイロット信号の受信品質と、前記複数のビーム訓練信号の受信品質から取得した参照受信品質を基地局に送信し、基地局によって比較を行い、基地局の相反性が成立するか否かを特定する。ここで、基地局の相反性が成立するか否かの基地局自身による特定方式は、実施例３の記載を参照されたい。
【０１１７】
以上から、本開示の実施例によれば、端末は、基地局のビーム相反性が成立するか否かを確実に特定することができ、対応するビームを正しく選択してデータを伝送することができ、通信品質を向上させることが分かる。
【０１１８】
図５に示すように、本開示の実施例における機器ビーム相反性の特定装置は、ビーム相反性に基づいて得られる送信ビームで参照信号を送信するように第２機器に指示する指示モジュール５０１と、前記第２機器から送信された参照信号を受信し、前記参照信号の受信品質を算出する第１算出モジュール５０２と、前記第２機器から送信された複数のビーム訓練信号を受信し、前記複数のビーム訓練信号の受信品質をそれぞれ算出する第２算出モジュール５０３と、前記参照信号の受信品質と、前記複数のビーム訓練信号の受信品質から取得した参照受信品質を比較し、比較結果に基づいて、前記第２機器のビーム相反性が成立するか否かを特定する処理モジュール５０４とを含む。
【０１１９】
ここで、前記参照信号は、パイロット信号、データ信号、データチャネルなどである。ここで、前記パイロット信号は、ＳＲＳまたはＤＭＲＳなどである。
【０１２０】
ここで、前記指示モジュール５０１は、具体的に、前記第２機器の現在の最適な受信ビームまたは使用している受信ビームで送信ビームを特定し、特定した送信ビームで前記参照信号を送信するように前記第２機器に指示するための第１シグナリングを、前記第２機器に送信する。または、前記指示モジュール５０１は、具体的に、目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記第２機器に指示するための第２シグナリングを、前記第２機器に送信する。
【０１２１】
ここで、前記第１算出モジュール５０２は、第１受信サブモジュールと、第１算出サブモジュールとを含む。第１受信サブモジュールは、ビーム相反性を有するのであれば、現在の送信ビームまたは前記第２機器に指示した目標送信ビームに対応する受信ビームで前記参照信号を受信する。または、第１受信サブモジュールは、現在の時刻で、受信ビーム候補でそれぞれビーム訓練信号を受信し、最適な信号品質の受信ビーム候補を特定し、前記最適な信号品質の受信ビーム候補で、後に送信されるビーム訓練信号を受信する。または、第１受信サブモジュールは、前記ビーム訓練信号を受信する信号品質が最適な受信ビームである最適なビーム訓練信号受信ビームで、前記参照信号を受信する。第１算出サブモジュールは、前記参照信号の受信品質を算出する。
【０１２２】
ここで、前記第２算出モジュール５０３は、第２受信サブモジュールと、第２算出サブモジュールとを含む。第２受信サブモジュールは、ビーム相反性を有するのであれば、現在の送信ビームまたは前記第２機器に指示した目標送信ビームに対応する受信ビームで前記ビーム訓練信号を受信する。または、第２受信サブモジュールは、前記参照信号を受信する信号品質が最適な受信ビームで、前記ビーム訓練信号を受信する。または、第２受信サブモジュールは、現在の時刻で、受信ビーム候補でそれぞれビーム訓練信号を受信し、最適な信号品質の受信ビーム候補を特定し、前記最適な信号品質の受信ビーム候補で、後に送信されるビーム訓練信号を受信する。第２算出サブモジュールは、前記複数のビーム訓練信号の受信品質をそれぞれ算出する。
【０１２３】
ここで、前記処理モジュール５０４は、第１特定サブモジュールと、第２特定サブモジュールとを含む。第１特定サブモジュールは、前記複数のビーム訓練信号の受信品質のうちの最大受信品質を特定し、前記最大受信品質を前記参照受信品質とする。第２特定サブモジュールは、前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する。
【０１２４】
または、前記処理モジュール５０４は、ソートサブモジュールと、算出サブモジュールと、第３特定サブモジュールとを含む。ソートサブモジュールは、前記複数のビーム訓練信号の受信品質を大きい順にソートし、前からＫ（１より大きい整数）個のビーム訓練信号の受信品質を選択する。算出サブモジュールは、前記Ｋ個のビーム訓練信号の受信品質の平均値を算出し、前記平均値を前記参照受信品質とする。第３特定サブモジュールは、前記参照信号の受信品質が前記参照受信品質より大きくなり、または、前記参照受信品質と前記参照信号の受信品質との差が所定の閾値より小さくなると、前記第２機器のビーム相反性が成立すると特定するが、逆の場合、前記第２機器のビーム相反性が成立しないと特定する。
【０１２５】
通信効率をさらに向上させるには、前記指示モジュール５０１は、さらに、前記複数のビーム訓練信号の送信を前記第２機器に指示する。この場合、前記第１算出モジュール５０２は、前記機器から送信された複数のビーム訓練信号を受信する場合、具体的に、前記第２機器から指示に基づいて送信された前記複数のビーム訓練信号を受信する。
【０１２６】
図６に示すように、通信品質をさらに向上させるには、前記装置は、送信モジュール５０５をさらに含む。送信モジュール５０５は、前記第２機器のビーム相反性が成立すると特定すれば、相反性ビームでデータを伝送するように前記第２機器に指示するための第１指示情報を前記第２機器に送信する。または、送信モジュール５０５は、前記第２機器のビーム相反性が成立しないと特定すれば、第１指定送信ビームでデータを伝送するように前記第２機器に指示するための第２指示情報を前記第２機器に送信する。または、送信モジュール５０５は、前記第２機器が指示されたビームでデータを伝送すると特定し、前記第２機器のビーム相反性が成立すると特定すれば、相反性ビームでデータを伝送するように前記第２機器に指示するための第３指示情報を前記第２機器に送信する。または、送信モジュール５０５は、前記第２機器が指示されたビームでデータを伝送すると特定し、前記第２機器のビーム相反性が成立しないと特定すれば、第２指定送信ビームでデータを伝送するように前記第２機器に指示するための第４指示情報を前記第２機器に送信する。
【０１２７】
ここで、前記第２指示情報には、前記第１指定送信ビームでデータを伝送するように前記第２機器に指示するための第１指定送信ビームのＩＤを含み、前記第４指示情報には、前記第２指定送信ビームのＩＤをさらに含む。
【０１２８】
実際の応用において、前記処理モジュール５０４は、具体的に、前記参照信号の受信品質と、前記複数のビーム訓練信号の受信品質から取得した参照受信品質を前記第２機器に送信する。よって、前記第２機器は、前記参照信号の受信品質と、前記複数のビーム訓練信号の受信品質から取得した参照受信品質を比較し、比較結果に基づいて前記第２機器のビーム相反性が成立するか否かを特定する。または、前記処理モジュール５０４は、具体的に、前記参照信号の受信品質と、前記複数のビーム訓練信号の受信品質から取得した参照受信品質を比較し、比較結果を前記第２機器に送信する。よって、前記第２機器は、比較結果に基づいて、前記第２機器のビーム相反性が成立するか否かを特定する。
【０１２９】
本開示に記載の装置の稼動原理は、前記の方法実施例の記載を参照されたい。
【０１３０】
以上から、本開示の実施例によれば、第１機器は、第２機器のビーム相反性が成立するか否かを確実に特定することができ、対応するビームを正しく選択してデータを伝送することができ、通信品質を向上させることが分かる。
【０１３１】
図７に示すように、本開示の実施例における機器ビーム相反性の特定装置は、受信モジュール７０１と、第１送信モジュール７０２と、第２送信モジュール７０３とを含む。受信モジュール７０１は、第１機器の指示を受信する。第１送信モジュール７０２は、前記第１機器の指示に基づいて、ビーム相反性に基づいて得られる送信ビームで参照信号を送信する。よって、前記第１機器は、前記参照信号の受信品質を算出する。第２送信モジュール７０３は、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を比較し、比較結果に基づいて、前記第２機器のビーム相反性が成立するか否かを特定する。
【０１３２】
ここで、前記第１送信モジュール７０２は、具体的に、前記第１機器から第１シグナリングを受信し、前記第１シグナリングに基づいて、現在の最適な受信ビームまたは使用している受信ビームで送信ビームを特定し、特定した送信ビームで前記参照信号を送信する。または、前記第１送信モジュール７０２は、具体的に、目標送信ビームのＩＤ情報が含まれる第２シグナリングを前記第１機器から受信し、前記ＩＤ情報に基づいて、前記目標送信ビームを受信する最適な受信ビームで送信ビームを特定し、特定した送信ビームで前記参照信号を送信する。
【０１３３】
実際の応用において、前記受信モジュール７０１は、さらに、複数のビーム訓練信号を送信する指示を前記第１機器から受信する。この場合、前記第２送信モジュール７０３は、複数のビーム訓練信号を前記第１機器に送信する場合、具体的に、前記の複数のビーム訓練信号を送信する指示に基づいて、複数のビーム訓練信号を前記第１機器に送信する。
【０１３４】
通信品質をさらに向上させるには、前記受信モジュール７０１は、さらに、前記第１機器のビーム相反性テスト結果を受信する。図８に示すように、前記装置において、処理モジュール７０４をさらに含む。処理モジュール７０４は、前記第２機器のビーム相反性の成立が前記第１機器によって特定された場合に送信される第１指示情報を前記第１機器から受信し、前記第１指示情報に基づいて、相反性ビームでデータを伝送する。または、処理モジュール７０４は、前記第２機器のビーム相反性の不成立が前記第１機器によって特定された場合に送信される第２指示情報を前記第１機器から受信し、前記第２指示情報に基づいて、第１指定送信ビームでデータを伝送する。または、処理モジュール７０４は、前記第２機器のビーム相反性が成立し、且つ前記第２機器が前記第１機器から指示されたビームでデータを伝送することが前記第１機器によって特定された場合に送信される第３指示情報を前記第１機器から受信し、前記第３指示情報に基づいて、相反性ビームでデータを伝送する。または、処理モジュール７０４は、前記第２機器のビーム相反性が成立しなく、且つ前記第２機器が前記第１機器から指示されたビームでデータを伝送することが前記第１機器によって特定された場合に送信される第４指示情報を前記第１機器から受信し、前記第４指示情報に基づいて、第２指定送信ビームでデータを伝送する。
【０１３５】
前記第２指示情報には、前記第１指定送信ビームでデータを伝送するように前記第２機器に指示するための第１指定送信ビームのＩＤを含み、前記第４指示情報には、前記第２指定送信ビームのＩＤをさらに含む。この場合、前記処理モジュールは、前記第４指示情報に基づいて、第２指定送信ビームでデータを伝送する場合、具体的に、前記第４指示情報に基づいて、前記第２指定送信ビームのＩＤに対応する第２指定送信ビームでデータを伝送する。
【０１３６】
実際の応用において、前記第２送信モジュール７０２は、具体的に、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を前記第２機器に送信する。前記第２機器は、前記参照信号の受信品質と、前記複数のビーム訓練信号の受信品質から取得した参照受信品質を比較し、比較結果に基づいて前記第２機器のビーム相反性が成立するか否かを特定する。または、前記第２送信モジュール７０２は、具体的に、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を比較し、比較結果を前記第２機器に送信する。前記第２機器は、比較結果に基づいて、前記第２機器のビーム相反性が成立するか否かを特定する。
【０１３７】
本開示に記載の装置の稼動原理は、前記の方法実施例の記載を参照されたい。
【０１３８】
以上から、本開示の実施例によれば、第１機器は、第２機器のビーム相反性が成立するか否かを確実に特定することができ、対応するビームを正しく選択してデータを伝送することができ、通信品質を向上させることが分かる。
【０１３９】
図９に示すように、本開示の実施例は、ハウジング９０１と、プロセッサ９０２と、メモリ９０３と、回路板９０４と、電源回路９０５を含む電子機器を提供する。回路板９０４は、ハウジング９０１で囲まれた空間の内部に設けられる。プロセッサ９０２とメモリ９０３は、回路板９０４に設けられる。電源回路９０５は、上記電子機器の各回路または素子に給電する。メモリ９０３は、実行可能なプログラムコードを記憶する。プロセッサ９０２は、メモリ９０３に記憶されている実行可能なプログラムコードを読み取ることによって、実行可能なプログラムコードに対応するプログラムを実行し、上記のいずれか１つの実施例の方法を実行する。
【０１４０】
プロセッサ９０２による上記ステップの具体的な実行プロセス、および、プロセッサ９０２が実行可能なプログラムコードを実行することによってさらに実行するステップは、前記の方法実施例の記載を参照されたく、ここでは繰り返して記載しない。
【０１４１】
本開示の実施例は、コンピュータプログラムが記憶されているコンピュータ読み取り可能な記憶媒体を提供し、前記コンピュータプログラムがプロセッサによって実行されると、上記の機器ビーム相反性の特定方法が実現される。
【０１４２】
本開示の実施例は、プロセッサと、バスインタフェースを介して前記プロセッサに接続されるメモリを含むデータ処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットが実現される。
指示モジュールは、ビーム相反性に基づいて得られる送信ビームで参照信号を送信するように第２機器に指示する。
第１算出モジュールは、前記第２機器から送信された参照信号を受信し、前記参照信号の受信品質を算出する。
第２算出モジュールは、前記第２機器から送信された複数のビーム訓練信号を受信し、前記複数のビーム訓練信号の受信品質をそれぞれ算出する。
処理モジュールは、前記参照信号の受信品質と、前記複数のビーム訓練信号の受信品質から取得した参照受信品質を比較し、比較結果に基づいて、前記第２機器のビーム相反性が成立するか否かを特定する。
【０１４３】
本開示の実施例は、プロセッサと、バスインタフェースを介して前記プロセッサに接続されるメモリを含むデータ処理装置を提供する。前記メモリは、前記プロセッサによる操作実行に用いられるプログラムおよびデータを記憶する。プロセッサは、前記メモリに記憶されているプログラムおよびデータを呼び出して実行すると、以下の機能的なモジュールまたはユニットが実現される。
受信モジュールは、第１機器の指示を受信する。
第１送信モジュールは、前記第１機器の指示に基づいて、ビーム相反性に基づいて得られる送信ビームで参照信号を送信する。よって、前記第１機器は、前記参照信号の受信品質を算出する。
第２送信モジュールは、複数のビーム訓練信号を前記第１機器に送信する。よって、前記第１機器は、前記複数のビーム訓練信号の受信品質をそれぞれ算出し、前記参照信号の受信品質と、前記複数のビーム訓練信号の受信品質から取得した参照受信品質を比較し、比較結果に基づいて、前記第２機器のビーム相反性が成立するか否かを特定する。
【０１４４】
なお、本開示の実施例で提供されるデータ処理装置は、上記方法実施例で提供される機器ビーム相反性の特定方法を対応して実現できる装置である。ゆえに、上記の方法実施例で提供される機器ビーム相反性の特定方法のすべての実施例は、いずれも当該実施例に対応して適用可能であり、同一または類似な有益な効果を奏することもできる。
【０１４５】
図１０に示すように、本開示の実施例は、メモリ１０２０からプログラムを読み取って以下のプロセスを実行するプロセッサ１０００と、プロセッサ１０００による制御でデータを送受信するトランシーバ１０１０を含む基地局を提供する。
ビーム相反性に基づいて得られる送信ビームで参照信号を送信するように端末に指示する。
前記端末から送信された参照信号を受信し、前記参照信号の受信品質を算出する。
前記端末から送信された複数のビーム訓練信号を受信し、前記複数のビーム訓練信号の受信品質をそれぞれ算出する。
前記参照信号の受信品質と、前記複数のビーム訓練信号の受信品質から取得した参照受信品質を比較し、比較結果に基づいて、前記端末のビーム相反性が成立するか否かを特定する。
【０１４６】
ここで、図１０において、バスアーキテクチャは、任意数の相互接続するバスとブリッジを含み、具体的に、プロセッサ１０００をはじめとする１つ又は複数のプロセッサとメモリ１０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１０１０は、複数の部品であってもよく、即ち送信機と受信機を含み、伝送媒体でほかの各種類の装置と通信するユニットとして提供される。プロセッサ１０００は、バスアーキテクチャと通常の処理を管理する。メモリ１０２０は、プロセッサ１０００による操作実行に使用されるデータを記憶できる。
【０１４７】
プロセッサ１０００は、バスアーキテクチャと通常の処理を管理する。メモリ１０２０は、プロセッサ１０００による操作実行に使用されるデータを記憶できる。
【０１４８】
プロセッサ１０００は、さらに、前記端末の現在の最適な受信ビームまたは使用している受信ビームで送信ビームを特定し、特定した送信ビームで前記参照信号を送信するように前記端末に指示するための第１シグナリングを、前記端末に送信する。または、プロセッサ１０００は、さらに、目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記端末に指示するための第２シグナリングを、前記端末に送信する。
【０１４９】
プロセッサ１０００は、さらに、前記基地局にビーム相反性を有するのであれば、現在の送信ビームまたは前記端末に指示した目標送信ビームに対応する受信ビームで前記参照信号を受信する。または、プロセッサ１０００は、さらに、現在の時刻で、受信ビーム候補でそれぞれ参照信号を受信し、最適な信号品質の受信ビーム候補を特定し、前記最適な信号品質の受信ビーム候補で、後に送信される参照信号を受信する。または、プロセッサ１０００は、さらに、前記ビーム訓練信号を受信する信号品質が最適な受信ビームである最適なビーム訓練信号受信ビームで、前記参照信号を受信する。
【０１５０】
プロセッサ１０００は、さらに、前記基地局にビーム相反性を有するのであれば、現在の送信ビームまたは前記端末に指示した目標送信ビームに対応する受信ビームで前記ビーム訓練信号を受信する。または、プロセッサ１０００は、さらに、前記参照信号を受信する信号品質が最適な受信ビームで、前記ビーム訓練信号を受信する。または、プロセッサ１０００は、さらに、現在の時刻で、受信ビーム候補でそれぞれビーム訓練信号を受信し、最適な信号品質の受信ビーム候補を特定し、前記最適な信号品質の受信ビーム候補で、後に送信されるビーム訓練信号を受信する。
【０１５１】
プロセッサ１０００は、さらに、前記複数のビーム訓練信号の受信品質のうちの最大受信品質を特定し、前記最大受信品質を前記参照受信品質とする。前記参照信号の受信品質が前記参照受信品質より大きくなり、または、前記参照受信品質と前記参照信号の受信品質との差が所定の閾値より小さくなると、前記端末のビーム相反性が成立すると特定するが、逆の場合、前記端末のビーム相反性が成立しないと特定する。
【０１５２】
プロセッサ１０００は、さらに、前記複数のビーム訓練信号の受信品質を大きい順にソートし、前からＫ（１より大きい整数）個のビーム訓練信号の受信品質を選択する。前記Ｋ個のビーム訓練信号の受信品質の平均値を算出し、前記平均値を前記参照受信品質とする。前記参照信号の受信品質が前記参照受信品質より大きくなり、または、前記参照受信品質と前記参照信号の受信品質との差が所定の閾値より小さくなると、前記端末のビーム相反性が成立すると特定するが、逆の場合、前記端末のビーム相反性が成立しないと特定する。
【０１５３】
プロセッサ１０００は、さらに、前記複数のビーム訓練信号の送信を前記端末に指示する。前記機器から送信された複数のビーム訓練信号を受信することは、具体的に、前記端末から指示に基づいて送信された前記複数のビーム訓練信号を受信する。
【０１５４】
プロセッサ１０００は、さらに、前記端末のビーム相反性が成立すると特定すれば、相反性ビームでデータを伝送するように前記端末に指示するための第１指示情報を前記端末に送信する。または、前記端末のビーム相反性が成立しないと特定すれば、第１指定送信ビームでデータを伝送するように前記端末に指示するための第２指示情報を前記端末に送信する。または、前記端末が前記基地局から指示されたビームでデータを伝送すると特定し、前記端末のビーム相反性が成立すると特定すれば、相反性ビームでデータを伝送するように前記端末に指示するための第３指示情報を前記端末に送信する。または、前記端末が前記基地局から指示されたビームでデータを伝送すると特定し、前記端末のビーム相反性が成立しないと特定すれば、第２指定送信ビームでデータを伝送するように前記端末に指示するための第４指示情報を前記端末に送信する。
【０１５５】
ここで、前記第２指示情報には、前記第１指定送信ビームのＩＤを含み、前記第４指示情報には、前記第２指定送信ビームのＩＤをさらに含む。
【０１５６】
図１１に示すように、本開示の実施例は、メモリ１１２０からプログラムを読み取って以下のプロセスを実行するプロセッサ１１００と、プロセッサ１１００による制御でデータを送受信するトランシーバ１１１１を含む基地局を提供する。
端末の指示を受信する。
前記端末の指示に基づいて、ビーム相反性に基づいて得られる送信ビームで参照信号を送信する。よって、前記端末は、前記参照信号の受信品質を算出する。
複数のビーム訓練信号を前記端末に送信する。よって、前記端末は、前記複数のビーム訓練信号の受信品質をそれぞれ算出し、前記参照信号の受信品質と、前記複数のビーム訓練信号の受信品質から取得した参照受信品質を比較し、比較結果に基づいて、前記基地局のビーム相反性が成立するか否かを特定する。
【０１５７】
ここで、図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１１は、複数の部品であってもよく、即ち送信機と受信機を含み、伝送媒体でほかの各種類の装置と通信するユニットとして提供される。プロセッサ１１００は、バスアーキテクチャと通常の処理を管理する。メモリ１１２０は、プロセッサ１１００による操作実行に使用されるデータを記憶できる。
【０１５８】
プロセッサ１１００は、バスアーキテクチャと通常の処理を管理する。メモリ１１２０は、プロセッサ１１００による操作実行に使用されるデータを記憶できる。
【０１５９】
プロセッサ１１００は、さらに、前記端末から第１シグナリングを受信し、前記第１シグナリングに基づいて、現在の最適な受信ビームまたは使用している受信ビームで送信ビームを特定し、特定した送信ビームで前記参照信号を送信する。または、目標送信ビームのＩＤ情報が含まれる第２シグナリングを前記端末から受信し、前記ＩＤ情報に基づいて、前記目標送信ビームを受信する最適な受信ビームで送信ビームを特定し、特定した送信ビームで前記参照信号を送信する。
【０１６０】
プロセッサ１１００は、さらに、前記端末から第１シグナリングを受信し、前記第１シグナリングに基づいて、現在の最適な受信ビームまたは使用している受信ビームで送信ビームを特定し、特定した送信ビームで前記参照信号を送信する。または、目標送信ビームのＩＤ情報が含まれる第２シグナリングを前記端末から受信し、前記ＩＤ情報に基づいて、前記目標送信ビームを受信する最適な受信ビームで送信ビームを特定し、特定した送信ビームで前記参照信号を送信する。
【０１６１】
プロセッサ１１００は、さらに、複数のビーム訓練信号を送信する指示を前記端末から受信し、前記の複数のビーム訓練信号を送信する指示に基づいて、複数のビーム訓練信号を前記端末に送信する。
【０１６２】
プロセッサ１１００は、さらに、前記基地局のビーム相反性の成立が前記端末によって特定された場合に送信される第１指示情報を前記端末から受信し、前記第１指示情報に基づいて、相反性ビームでデータを伝送する。または、前記基地局のビーム相反性の不成立が前記端末によって特定された場合に送信される第２指示情報を前記端末から受信し、前記第２指示情報に基づいて、第１指定送信ビームでデータを伝送する。または、前記基地局のビーム相反性が成立し、且つ前記基地局が前記端末から指示されたビームでデータを伝送することが前記端末によって特定された場合に送信される第３指示情報を前記端末から受信し、前記第３指示情報に基づいて、相反性ビームでデータを伝送する。または、前記基地局のビーム相反性が成立しなく、且つ前記基地局が前記端末から指示されたビームでデータを伝送することが前記端末によって特定された場合に送信される第４指示情報を前記端末から受信し、前記第４指示情報に基づいて、第２指定送信ビームでデータを伝送する。
【０１６３】
ここで、前記第２指示情報には、前記第１指定送信ビームのＩＤを含む。プロセッサ１１００は、さらに、前記第４指示情報に基づいて、前記第２指定送信ビームのＩＤに対応する第２指定送信ビームでデータを伝送する。
【０１６４】
プロセッサ１１００は、さらに、複数のビーム訓練信号を前記端末に送信する。よって、前記端末は、前記複数のビーム訓練信号の受信品質をそれぞれ算出し、前記参照信号の受信品質と、前記複数のビーム訓練信号の受信品質から取得した参照受信品質を比較し、比較結果に基づいて、前記基地局のビーム相反性が成立するか否かを特定する。または、プロセッサ１１００は、さらに、複数のビーム訓練信号を前記端末に送信する。よって、前記端末は、前記複数のビーム訓練信号の受信品質をそれぞれ算出し、前記参照信号の受信品質と、前記複数のビーム訓練信号の受信品質から取得した参照受信品質を前記基地局に送信する。前記基地局は、前記参照信号の受信品質と、前記複数のビーム訓練信号の受信品質から取得した参照受信品質を比較し、比較結果に基づいて、前記基地局のビーム相反性が成立するか否かを特定する。または、プロセッサ１１００は、さらに、複数のビーム訓練信号を前記端末に送信する。よって、前記端末は、前記複数のビーム訓練信号の受信品質をそれぞれ算出し、前記参照信号の受信品質と、前記複数のビーム訓練信号の受信品質から取得した参照受信品質を比較し、比較結果を前記基地局に送信する。前記基地局は、比較結果に基づいて、前記基地局のビーム相反性が成立するか否かを特定する。
【０１６５】
図１２に示すように、本開示の実施例は、メモリ１２２０からプログラムを読み取って以下のプロセスを実行するプロセッサ１２００と、プロセッサ１２００による制御でデータを送受信するトランシーバ１２１２を含むユーザ機器を提供する。
ビーム相反性に基づいて得られる送信ビームで参照信号を送信するように基地局に指示する。
前記基地局から送信された参照信号を受信し、前記参照信号の受信品質を算出する。
前記基地局から送信された複数のビーム訓練信号を受信し、前記複数のビーム訓練信号の受信品質をそれぞれ算出する。
前記参照信号の受信品質と、前記複数のビーム訓練信号の受信品質から取得した参照受信品質を比較し、比較結果に基づいて、前記基地局のビーム相反性が成立するか否かを特定する。
【０１６６】
ここで、図１２において、バスアーキテクチャは、任意数の相互接続するバスとブリッジを含み、具体的に、プロセッサ１２００をはじめとする１つ又は複数のプロセッサとメモリ１２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１２１２は、複数の部品であってもよく、即ち送信機と受信機を含み、伝送媒体でほかの各種類の装置と通信するユニットとして提供される。ユーザ端末によっては、ユーザインタフェース１２３０は、内部接続や外部接続する機器のインタフェースであってもよい。接続する機器は、キーパッド、ディスプレイ、スピーカ、マイクロフォン、ジョイスティックなどを含むが、それらに限られない。
【０１６７】
プロセッサ１２００は、バスアーキテクチャと通常の処理を管理する。メモリ１２２０は、プロセッサ１２００による操作実行に使用されるデータを記憶できる。
【０１６８】
プロセッサ１２００は、さらに、前記基地局の現在の最適な受信ビームまたは使用している受信ビームで送信ビームを特定し、特定した送信ビームで前記参照信号を送信するように前記基地局に指示するための第１シグナリングを、前記基地局に送信する。または、目標送信ビームのＩＤ情報が含まれる第２シグナリングであって、前記ＩＤ情報に基づいて、前記目標送信ビームを受信する最適な受信ビームで送信ビームを特定し、特定した送信ビームで前記参照信号を送信するように前記基地局に指示するための第２シグナリングを、前記基地局に送信する。
【０１６９】
プロセッサ１２００は、さらに、前記端末にビーム相反性を有するのであれば、現在の送信ビームまたは前記基地局に指示した目標送信ビームに対応する受信ビームで前記参照信号を受信する。または、現在の時刻で、受信ビーム候補でそれぞれ参照信号を受信し、最適な信号品質の受信ビーム候補を特定し、前記最適な信号品質の受信ビーム候補で、後に送信される参照信号を受信する。または、前記ビーム訓練信号を受信する信号品質が最適な受信ビームである最適なビーム訓練信号受信ビームで、前記参照信号を受信する。
【０１７０】
プロセッサ１２００は、さらに、前記端末にビーム相反性を有するのであれば、現在の送信ビームまたは前記基地局に指示した目標送信ビームに対応する受信ビームで前記ビーム訓練信号を受信する。または、前記参照信号を受信する信号品質が最適な受信ビームで、前記ビーム訓練信号を受信する。または、現在の時刻で、受信ビーム候補でそれぞれビーム訓練信号を受信し、最適な信号品質の受信ビーム候補を特定し、前記最適な信号品質の受信ビーム候補で、後に送信されるビーム訓練信号を受信する。
【０１７１】
プロセッサ１２００は、さらに、前記複数のビーム訓練信号の受信品質のうちの最大受信品質を特定し、前記最大受信品質を前記参照受信品質とする。前記参照信号の受信品質が前記参照受信品質より大きくなり、または、前記参照受信品質と前記参照信号の受信品質との差が所定の閾値より小さくなると、前記基地局のビーム相反性が成立すると特定するが、逆の場合、前記基地局のビーム相反性が成立しないと特定する。
【０１７２】
プロセッサ１２００は、さらに、前記複数のビーム訓練信号の受信品質を大きい順にソートし、前からＫ（１より大きい整数）個のビーム訓練信号の受信品質を選択する。前記Ｋ個のビーム訓練信号の受信品質の平均値を算出し、前記平均値を前記参照受信品質とする。前記参照信号の受信品質が前記参照受信品質より大きくなり、または、前記参照受信品質と前記参照信号の受信品質との差が所定の閾値より小さくなると、前記基地局のビーム相反性が成立すると特定するが、逆の場合、前記基地局のビーム相反性が成立しないと特定する。
【０１７３】
プロセッサ１２００は、さらに、前記複数のビーム訓練信号の送信を前記基地局に指示する。前記機器から送信された複数のビーム訓練信号を受信することは、具体的に、前記基地局から指示に基づいて送信された前記複数のビーム訓練信号を受信する。
【０１７４】
プロセッサ１２００は、さらに、前記基地局のビーム相反性が成立すると特定すれば、相反性ビームでデータを伝送するように前記基地局に指示するための第１指示情報を前記基地局に送信する。または、前記基地局のビーム相反性が成立しないと特定すれば、第１指定送信ビームでデータを伝送するように前記基地局に指示するための第２指示情報を前記基地局に送信する。または、前記基地局が前記端末から指示されたビームでデータを伝送すると特定し、前記基地局のビーム相反性が成立すると特定すれば、相反性ビームでデータを伝送するように前記基地局に指示するための第３指示情報を前記基地局に送信する。または、前記基地局が前記端末から指示されたビームでデータを伝送すると特定し、前記基地局のビーム相反性が成立しないと特定すれば、第２指定送信ビームでデータを伝送するように前記基地局に指示するための第４指示情報を前記基地局に送信する。
【０１７５】
ここで、前記第２指示情報には、前記第１指定送信ビームのＩＤを含み、前記第４指示情報には、前記第２指定送信ビームのＩＤをさらに含む。
【０１７６】
プロセッサ１２００は、さらに、前記参照信号の受信品質と、前記複数のビーム訓練信号の受信品質から取得した参照受信品質を前記基地局に送信する。よって、前記基地局は、前記参照信号の受信品質と、前記複数のビーム訓練信号の受信品質から取得した参照受信品質を比較し、比較結果に基づいて、前記基地局のビーム相反性が成立するか否かを特定する。または、前記参照信号の受信品質と、前記複数のビーム訓練信号の受信品質から取得した参照受信品質を比較し、比較結果を前記基地局に送信する。よって、前記基地局は、比較結果に基づいて、前記基地局のビーム相反性が成立するか否かを特定する。
【０１７７】
図１３に示すように、本開示の実施例は、メモリ１３２０からプログラムを読み取って以下のプロセスを実行するプロセッサ１３００と、プロセッサ１３００による制御でデータを送受信するトランシーバ１３１０を含むユーザ機器を提供する。
基地局の指示を受信する。
前記基地局の指示に基づいて、ビーム相反性に基づいて得られる送信ビームで参照信号を送信する。よって、前記基地局は、前記参照信号の受信品質を算出する。
複数のビーム訓練信号を前記基地局に送信する。よって、前記基地局は、複数のビーム訓練信号の受信品質をそれぞれ算出し、前記参照信号の受信品質と、前記複数のビーム訓練信号の受信品質から取得した参照受信品質を比較し、比較結果に基づいて前記端末のビーム相反性が成立するか否かを特定する。
【０１７８】
ここで、図１３において、バスアーキテクチャは、任意数の相互接続するバスとブリッジを含み、具体的に、プロセッサ１３００をはじめとする１つ又は複数のプロセッサとメモリ１３２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３１０は、複数の部品であってもよく、即ち送信機と受信機を含み、伝送媒体でほかの各種類の装置と通信するユニットとして提供される。ユーザ端末によっては、ユーザインタフェース１３３０は、内部接続や外部接続する機器のインタフェースであってもよい。接続する機器は、キーパッド、ディスプレイ、スピーカ、マイクロフォン、ジョイスティックなどを含むが、それらに限られない。
【０１７９】
プロセッサ１３００は、バスアーキテクチャと通常の処理を管理する。メモリ１３２０は、プロセッサ１３００による操作実行に使用されるデータを記憶できる。
【０１８０】
プロセッサ１３００は、さらに、前記基地局から第１シグナリングを受信し、前記第１シグナリングに基づいて、現在の最適な受信ビームまたは使用している受信ビームで送信ビームを特定し、特定した送信ビームで前記参照信号を送信する。または、目標送信ビームのＩＤ情報が含まれる第２シグナリングを前記基地局から受信し、前記ＩＤ情報に基づいて、前記目標送信ビームを受信する最適な受信ビームで送信ビームを特定し、特定した送信ビームで前記参照信号を送信する。
【０１８１】
プロセッサ１３００は、さらに、前記基地局から第１シグナリングを受信し、前記第１シグナリングに基づいて、現在の最適な受信ビームまたは使用している受信ビームで送信ビームを特定し、特定した送信ビームで前記参照信号を送信する。または、目標送信ビームのＩＤ情報が含まれる第２シグナリングを前記基地局から受信し、前記ＩＤ情報に基づいて、前記目標送信ビームを受信する最適な受信ビームで送信ビームを特定し、特定した送信ビームで前記参照信号を送信する。
【０１８２】
プロセッサ１３００は、さらに、複数のビーム訓練信号を送信する指示を前記基地局から受信し、前記の複数のビーム訓練信号を送信する指示に基づいて、複数のビーム訓練信号を前記基地局に送信する。
【０１８３】
プロセッサ１３００は、さらに、前記端末のビーム相反性の成立が前記基地局によって特定された場合に送信される第１指示情報を前記基地局から受信し、前記第１指示情報に基づいて、相反性ビームでデータを伝送する。または、前記端末のビーム相反性の不成立が前記基地局によって特定された場合に送信される第２指示情報を前記基地局から受信し、前記第２指示情報に基づいて、第１指定送信ビームでデータを伝送する。または、前記端末のビーム相反性が成立し、かつ前記端末が前記基地局から指示されたビームでデータを伝送することが前記基地局によって特定された場合に送信される第３指示情報を前記基地局から受信し、前記第３指示情報に基づいて、相反性ビームでデータを伝送する。または、前記端末のビーム相反性が成立しなく、且つ前記端末が前記基地局から指示されたビームでデータを伝送することが前記基地局によって特定された場合に送信される第４指示情報を前記基地局から受信し、前記第４指示情報に基づいて、第２指定送信ビームでデータを伝送する。
【０１８４】
ここで、前記第２指示情報には、前記第１指定送信ビームのＩＤを含む。プロセッサ１３００は、さらに、前記第４指示情報に基づいて、前記第２指定送信ビームのＩＤに対応する第２指定送信ビームでデータを伝送する。
【０１８５】
プロセッサ１３００は、さらに、複数のビーム訓練信号を前記基地局に送信する。よって、前記基地局は、前記複数のビーム訓練信号の受信品質をそれぞれ算出し、前記参照信号の受信品質と、前記複数のビーム訓練信号の受信品質から取得した参照受信品質を比較し、比較結果に基づいて前記端末のビーム相反性が成立するか否かを特定する。または、プロセッサ１３００は、さらに、複数のビーム訓練信号を前記基地局に送信する。よって、前記基地局は、前記複数のビーム訓練信号の受信品質をそれぞれ算出し、前記参照信号の受信品質と、前記複数のビーム訓練信号の受信品質から取得した参照受信品質を前記端末に送信する。前記端末は、前記参照信号の受信品質と、前記複数のビーム訓練信号の受信品質から取得した参照受信品質を比較し、比較結果に基づいて、前記端末のビーム相反性が成立するか否かを特定する。または、プロセッサ１３００は、さらに、複数のビーム訓練信号を前記基地局に送信する。よって、前記基地局は、前記複数のビーム訓練信号の受信品質をそれぞれ算出し、前記参照信号の受信品質と、前記複数のビーム訓練信号の受信品質から取得した参照受信品質を比較し、比較結果を前記端末に送信する。前記端末は、比較結果に基づいて、前記端末のビーム相反性が成立するか否かを特定する。
【０１８６】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１８７】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１８８】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１８９】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
0006972162.tif 000013
【図２】
0006972162.tif 000014
【図３】
0006972162.tif 000015
【図４】
0006972162.tif 000016
【図５】
0006972162.tif 000017
【図６】
0006972162.tif 000018
【図７】
0006972162.tif 000019
【図８】
0006972162.tif 000020
【図９】
0006972162.tif 000021
【図１０】
0006972162.tif 000022
【図１１】
0006972162.tif 000023
【図１２】
0006972162.tif 000024
【図１３】
0006972162.tif 000025